(57)【要約】  無線端末は、トランシーバと、該トランシーバに結合された携帯型インタフェースと、該トランシーバに結合されたインターロックとを含むことができる。該トランシーバは、無線通信を送受信するように構成することができ、また、該トランシーバはさらに、高い最大電力および／またはＥＩＲＰで高電力通信を送信するように、および低い最大電力および／またはＥＩＲＰで低電力通信を送信するように構成することができる。該インターロックは、該携帯型インタフェースが作動しているとき、閾値を超える電力および／またはＥＩＲＰで該トランシーバが高電力通信を送信するのを防ぐように構成することができる。また、関連する方法も開示されている。
2007533208.tif 000002
【特許請求の範囲】
【請求項１】
無線通信を送受信するように構成されているトランシーバであって、さらに、高電力閾値以上の電力および／または等価等方放射電力（ＥＩＲＰ）で高電力通信を送信するように、かつ低電力閾値以下の電力および／またはＥＩＲＰで低電力通信を送信するように構成されている、トランシーバと、
前記トランシーバに結合された携帯型インタフェースと、
前記トランシーバに結合されたインターロックであって、前記携帯型インタフェースが作動しているときに、前記高電力閾値以上の電力および／またはＥＩＲＰで前記トランシーバが高電力通信を送信するのを防ぐように構成されている、インターロックと
を備える、無線端末。
【請求項２】
前記トランシーバが、宇宙ベースの通信および無線地上通信を実行できるように構成されており、前記トランシーバが、宇宙ベースの通信に対して、前記高電力閾値以上の電力および／またはＥＩＲＰで高電力通信を送信するように、かつ地上通信に対して前記低電力閾値以下の電力および／またはＥＩＲＰで低電力通信を送信するように構成されている請求項１に記載の無線端末。
【請求項３】
前記トランシーバが、前記低電力閾値以下の電力および／またはＥＩＲＰでの送信の場合に、前記低電力通信を増幅するように、かつ前記高電力閾値以上の電力および／またはＥＩＲＰでの送信の場合に、前記高電力通信を増幅するように構成された少なくとも１つの増幅器を含み、前記インターロックは、前記携帯型インタフェースが作動しているときに、前記高電力閾値以上の電力および／またはＥＩＲＰでの高電力通信を使用不能にするように構成されている請求項１に記載の無線端末。
【請求項４】
前記トランシーバに結合されたハンズフリーインタフェースをさらに備え、前記インターロックはさらに、前記ハンズフリーインタフェースが作動しているときに、前記トランシーバが、前記高電力閾値以上の電力および／またはＥＩＲＰで高電力通信を送信することを可能にするように構成されている請求項１に記載の無線端末。
【請求項５】
前記ハンズフリーインタフェースが、リモート受話器および／またはスピーカ用のカップリングを備える請求項４に記載の無線端末。
【請求項６】
前記リモート受話器および／またはスピーカ用のカップリングが、連結されたおよび／または連結されていないカップリングを備える請求項５に記載の無線端末。
【請求項７】
前記リモート受話器および／またはスピーカ用のカップリングが、前記無線通信を受信するように、かつ前記無線通信をリモートラウドスピーカに結合するように構成されたクレードル用インタフェースを備える請求項５に記載の無線端末。
【請求項８】
前記ハンズフリーインタフェースがスピーカフォンインタフェースを備える請求項４に記載の無線端末。
【請求項９】
コンパニオン送信デバイスをさらに備え、前記インタフェースは、前記携帯型インタフェースが作動しているとき、前記高電力閾値以上の電力および／またはＥＩＲＰで、前記コンパニオン送信デバイスからの前記高電力通信を送信するために、前記高電力通信を前記コンパニオン送信デバイスに供給するように構成されている請求項１に記載の無線端末。
【請求項１０】
前記インタフェースが無線インタフェースおよび／または有線インタフェースを備える請求項９に記載の無線端末。
【請求項１１】
前記トランシーバに結合された無線端末アンテナをさらに備え、前記コンパニオンデバイスがコンパニオンアンテナを含み、前記コンパニオンアンテナの利得が前記無線端末アンテナの利得よりも大きい請求項９に記載の無線端末。
【請求項１２】
前記トランシーバが、前記無線端末の内部に送信増幅器を含み、前記コンパニオンデバイスが、前記コンパニオンデバイスの内部に送信増幅器を含み、前記コンパニオンデバイス内の前記送信増幅器の電力出力が前記無線端末内の前記送信増幅器の電力出力よりも大きい請求項９に記載の無線端末。
【請求項１３】
前記携帯型インタフェースが、前記トランシーバによって、および／または前記携帯型インタフェースが作動しているときに、前記無線端末に無線でおよび／または非無線で結合されているデバイスのトランシーバによって受信される無線通信に対応して、音声出力を生成するように構成された内蔵スピーカを備える請求項１に記載の無線端末。
【請求項１４】
前記トランシーバに結合されたハンズフリーインタフェースをさらに備え、前記携帯型インタフェースが作動しているときに高電力通信を送信する要求に応じて、前記ハンズフリーインタフェースを作動させるユーザ通知を前記インターロックが生成するように構成されている請求項１に記載の無線端末。
【請求項１５】
前記インターロックはさらに、前記ハンズフリーインタフェースの作動に応答して、前記トランシーバが、前記高電力閾値以上の電力および／またはＥＩＲＰで高電力通信を送信することを可能にするように構成されている請求項１４に記載の無線端末。
【請求項１６】
前記インターロックはさらに、前記携帯型インタフェースが作動しているときに、前記高電力通信を送信する要求の前に、かつ前記ハンズフリーインタフェースの作動の前に、前記トランシーバを一定期間、使用可能にするように構成されている請求項１５に記載の無線端末。
【請求項１７】
前記コンパニオン送信デバイス用インタフェースをさらに備え、前記携帯型インタフェースが作動しているとき、高電力通信を送信する要求に応じて、前記インターロックは、前記コンパニオン送信デバイスに対して、前記インタフェースを作動させるユーザ通知を与えるように構成されている請求項１に記載の無線端末。
【請求項１８】
前記インターロックがさらに、前記コンパニオン送信デバイス用インタフェースを作動させることに応じて、前記コンパニオン送信デバイスからの前記高電力通信を送信するために、前記インタフェースを介して前記コンパニオン送信デバイスに対して前記高電力通信を実行できるように構成されている請求項１７に記載の無線端末。
【請求項１９】
前記インターロックはさらに、前記高電力通信を送信する要求の後に、かつ前記コンパニオン送信デバイス用インタフェースの作動前に、前記携帯型インタフェースが作動している場合に、前記トランシーバを一定期間、使用可能にするように構成されている請求項１７に記載の無線端末。
【請求項２０】
前記インターロックはさらに、前記携帯型インタフェースが作動しているとき、前記トランシーバが、前記低電力閾値以下の電力および／またはＥＩＲＰで、低電力通信を送信できるように構成されている請求項１に記載の無線端末。
【請求項２１】
高電力閾値以上の電力および／または等価等方放射電力（ＥＩＲＰ）で高電力通信を送信するように、および低電力閾値以下の電力および／またはＥＩＲＰで低電力通信を送信するように構成されたトランシーバと、携帯型インタフェースとを含む無線端末を作動させる方法であって、
前記携帯型インタフェースが作動しているときに、前記トランシーバが、前記低電力閾値以下の電力および／またはＥＩＲＰで、前記低電力通信を送信できるようにするステップと、
前記携帯型インタフェースが作動しているとき、前記トランシーバが、前記高電力閾値以上の電力および／またはＥＩＲＰで前記高電力通信を送信することを防ぐステップと
を含む、方法。
【請求項２２】
前記トランシーバが、宇宙ベースの通信および無線地上通信を実行できるように構成されており、前記トランシーバが、宇宙ベースの通信の場合、前記高電力閾値以上の電力および／またはＥＩＲＰで高電力通信を送信するように、かつ地上通信の場合、前記低電力閾値以下の電力および／またはＥＩＲＰで低電力通信を送信するように構成されている請求項２１に記載の方法。
【請求項２３】
前記トランシーバが、低電力通信を増幅するように、かつ前記高電力通信を増幅するように構成された少なくとも１つの送信増幅器を含み、前記携帯型インタフェースが作動しているとき、前記トランシーバが高電力通信を送信することを防ぐことが、前記携帯型インタフェースが作動しているとき、少なくとも１つの送信増幅器を使用不能にするおよび／または制限することを含む請求項２１に記載の方法。
【請求項２４】
前記無線端末がさらに、前記トランシーバに結合されたハンズフリーインタフェースを含み、前記方法がさらに、前記ハンズフリーインタフェースが作動しているとき、前記トランシーバが前記高電力閾値以上の電力および／またはＥＩＲＰで高電力通信を送信できるようにするステップを含む請求項２１に記載の方法。
【請求項２５】
前記ハンズフリーインタフェースが、リモート受話器および／またはスピーカ用カップリングを備える請求項２４に記載の方法。
【請求項２６】
前記ハンズフリーインタフェースがスピーカフォンインタフェースを備える請求項２４に記載の方法。
【請求項２７】
前記無線端末がさらに、コンパニオン送信デバイス用インタフェースを含み、前記方法がさらに、前記携帯型インタフェースが作動しているとき、前記高電力閾値以上の電力および／またはＥＩＲＰで、前記コンパニオン送信デバイスから前記高電力通信を送信するため、前記インタフェースを介した前記コンパニオン送信デバイスへの前記高電力通信を実行するステップを含む請求項２１に記載の方法。
【請求項２８】
前記携帯型インタフェースが、前記トランシーバによって、および／または前記携帯型インタフェースが作動しているとき、前記無線端末に結合されている別のデバイスのトランシーバによって受信される無線通信に対応して、音声出力を生成するように構成された内蔵スピーカを備える請求項２１に記載の方法。
【請求項２９】
前記無線端末が、前記トランシーバに結合されたハンズフリーインタフェースを含み、前記方法がさらに、前記携帯型インタフェースが作動しているとき、高電力通信を送信する要求に応じて、前記ハンズフリーインタフェースを作動させるユーザ通知を生成するステップを含む請求項２１に記載の方法。
【請求項３０】
前記ハンズフリーインタフェースの作動に応じて、前記トランシーバが、前記高電力閾値以上の電力および／またはＥＩＲＰで高電力通信を送信できるようにするステップをさらに含む請求項２９に記載の方法。
【請求項３１】
前記高電力通信を送信する要求の後、および前記ハンズフリーインタフェースの作動前に、前記携帯型インタフェースが作動しているとき、高電力通信を送信するために、一定期間、前記トランシーバを使用可能にするステップをさらに含む請求項３０に記載の方法。
【請求項３２】
前記無線端末が、コンパニオン送信デバイス用インタフェースを含み、前記方法がさらに、前記携帯型インタフェースが作動しているとき、高電力通信を送信する要求に応じて、前記コンパニオン送信デバイス用インタフェースを作動させるユーザ通知を生成するステップを含む請求項２１に記載の方法。
【請求項３３】
前記コンパニオン送信デバイス用インタフェースを作動させることに応じて、前記高電力通信を前記コンパニオン送信デバイスから送信するために前記インタフェースを介した前記コンパニオン送信デバイスへの前記高電力通信を実行するステップをさらに含む請求項３２に記載の方法。
【請求項３４】
前記高電力通信を送信する要求の後、および前記コンパニオン送信デバイス用インタフェースの作動前に、前記携帯型インタフェースが作動しているとき、前記トランシーバを一定期間、使用可能にするステップとをさらに含む請求項３２に記載の方法。
【請求項３５】
宇宙ベースの通信用に、かつ地上無線通信用に構成されているトランシーバと、
ハンズフリーインタフェースと、
前記ハンズフリーインタフェースが作動している場合を除いて、前記トランシーバが、宇宙ベースの通信を送信するのを防ぐように構成されている衛星／ハンズフリーインタロックと
を備える、無線端末。
【請求項３６】
前記ハンズフリーインタフェースが、リモート受話器および／またはスピーカフォンインタフェース用カップリングを備える請求項３５に記載の無線端末。
【請求項３７】
携帯型インタフェースをさらに備え、前記インターロックがさらに、前記携帯型インタフェースが作動しているとき、前記トランシーバが、宇宙ベースの通信を送信することを防ぐように構成されている請求項３５に記載の無線端末。
【請求項３８】
前記携帯型インタフェースが、前記トランシーバによって、および／または前記携帯型インタフェースが作動しているとき、前記無線端末に結合されている別のデバイスのトランシーバによって受信される無線通信に対応して、音声出力を生成するように構成された内蔵スピーカを備える請求項３７に記載の無線端末。
【請求項３９】
前記衛星／ハンズフリーインタロックが、前記携帯型インタフェースが作動しているとき、宇宙ベースの通信を送信する要求に応じて、前記ハンズフリーインタフェースを作動させるユーザ通知を生成するように構成されている請求項３７に記載の無線端末。
【請求項４０】
前記衛星／ハンズフリーインタロックがさらに、前記携帯型インタフェースが作動しているとき、前記ハンズフリーインタフェースの作動を要することなく、宇宙ベースの通信を送信する要求後、前記トランシーバを一定期間、使用可能にするように構成されている請求項３９に記載の無線端末。
【請求項４１】
前記衛星／ハンズフリーインタロックがさらに、前記携帯型インタフェースが作動しているとき、前記トランシーバが地上通信を送信できるように構成されている請求項３７に記載の無線端末。
【請求項４２】
宇宙ベースの通信用に、および地上無線通信用に構成されたトランシーバと、ハンズフリーインタフェースとを含む無線端末を作動させる方法であって、
前記ハンズフリーインタフェースが作動していないときに、前記トランシーバが地上通信を送信できるようにするステップと、
前記ハンズフリーインタフェースが作動している場合を除いて、前記トランシーバが宇宙ベースの通信を送信することを防止するステップと
を含む、方法。
【請求項４３】
前記ハンズフリーインタフェースが、リモート受話器および／またはスピーカフォンインタフェース用カップリングを備える請求項４２に記載の方法。
【請求項４４】
携帯型インタフェースが作動しているときに、前記トランシーバが宇宙ベースの通信を送信することを防ぐステップをさらに含む請求項４２に記載の方法。
【請求項４５】
前記携帯型インタフェースが、前記トランシーバによって、および／または前記携帯型インタフェースが作動しているとき、前記無線端末に結合されている別のデバイスのトランシーバによって受信される無線通信に対応して、音声出力を生成するように構成された内蔵スピーカを備える請求項４４に記載の方法。
【請求項４６】
前記携帯型インタフェースが作動しているとき、宇宙ベースの通信を送信する要求に応じて、前記ハンズフリーインタフェースを作動させるユーザ通知を生成するステップをさらに含む請求項４４に記載の方法。
【請求項４７】
前記携帯型インタフェースが作動しているとき、前記ハンズフリーインタフェースの作動を要することなく、宇宙ベースの通信を送信する要求後に、前記トランシーバを一定期間、使用可能にするステップをさらに含む請求項４６に記載の方法。
【請求項４８】
前記携帯型インタフェースが作動しているとき、前記トランシーバが地上通信を送信できるようにするステップをさらに含む請求項４４に記載の方法。
【請求項４９】
宇宙ベースの通信用におよび地上無線通信用に構成されているトランシーバと、
少なくとも低プロファイルまたは高プロファイルの位置および／または方向で選択的に構成可能であるアンテナと、
前記アンテナが、前記高プロファイルの位置および／または方向で構成されている場合を除いて、前記トランシーバが、閾値以上の電力および／またはＥＩＲＰで、宇宙ベースの通信を送信することを防ぐように構成されている衛星インターロックと
を備える、無線端末。
【請求項５０】
宇宙ベースの通信用におよび地上無線通信用に構成されているトランシーバと、
少なくとも、スピーカフォンモード、プッシュ・トゥ・センドモードおよび／またはプッシュ・トゥ・トークモードまたはユーザの耳に隣接したモードで選択的に構成可能であるユーザインタフェースと、
前記ユーザインタフェースが、前記ユーザの耳に隣接したモードで構成されている場合、前記トランシーバが閾値以上の電力および／またはＥＩＲＰで宇宙ベースの通信を送信することを防ぐように構成されている衛星インターロックと
を備える、無線端末。
【請求項５１】
前記アンテナの前記高プロファイルの位置および／または方向が、前記無線端末および／またはユーザの頭部からの、前記アンテナの前記低プロファイルの位置および／または方向によって維持される距離よりも大きい、前記無線端末および／または前記ユーザの頭部からの距離を維持する請求項４９に記載の無線端末。
【請求項５２】
宇宙ベースの通信用に構成されているトランシーバを備え、前記トランシーバが、低速および高速のボコーダおよび／またはデータ送信モードを備え、前記トランシーバは、無線端末の電力および／またはＥＩＲＰが閾値以上である場合、宇宙ベースの通信に対して、前記低速のボコーダおよび／または前記低速のデータ送信モードを優先的に用いるように構成されている、無線端末。
【請求項５３】
宇宙ベースの通信用におよび地上無線通信用に構成されているトランシーバを備え、前記トランシーバが、低速および高速のボコーダおよび／またはデータ送信モードと、低最大電力および／またはＥＩＲＰおよび高最大電力および／またはＥＩＲＰモードとを備え、前記トランシーバが、宇宙ベースの通信に対して、前記低速のボコーダおよび／または前記低速のデータ送信モードと、前記高最大電力および／またはＥＩＲＰモードとを優先的に用いるように構成されている、無線端末。
【請求項５４】
無線通信を送受信するように構成されているトランシーバであって、さらに、電力閾値より大きい高電力通信を送信するように、および前記電力閾値より小さい低電力通信を送信するように構成されている、トランシーバと、
前記トランシーバに結合された携帯型インタフェースと、
前記トランシーバに結合されたインターロックであって、前記携帯型インタフェースが作動しているときに、前記トランシーバが、前記電力閾値より大きい高電力通信を送信することを防ぐように構成されている、インターロックと
を備える、無線端末。
【請求項５５】
前記トランシーバが、宇宙ベースの通信および無線地上通信を実行できるように構成されており、前記トランシーバが、宇宙ベースの通信に対して、前記電力閾値より大きい高電力通信を送信するように、および地上通信に対して、前記電力閾値より小さい低電力通信を送信するように構成されている請求項５４に記載の無線端末。
【請求項５６】
前記トランシーバに結合されたハンズフリーインタフェースをさらに備え、前記インターロックがさらに、前記ハンズフリーインタフェースが作動しているとき、前記トランシーバが、前記電力閾値より大きい高電力通信を送信できるように構成されている請求項５４に記載の無線端末。
【請求項５７】
前記無線端末から離れているコンパニオン送信デバイス用インタフェースをさらに備え、前記インタフェースが、前記携帯型インタフェースが作動しているとき、前記電力閾値より大きい電力で、前記コンパニオン送信デバイスから前記高電力通信を送信するため、前記高電力通信を前記コンパニオン送信デバイスに送るように構成されている請求項５４に記載の無線端末。
【請求項５８】
前記携帯型インタフェースが、前記携帯型インタフェースが作動しているとき、前記トランシーバによって受信される無線通信に対応して、ユーザの耳元に音声出力を供給するように構成された内蔵スピーカを備える請求項５４に記載の無線端末。
【請求項５９】
前記トランシーバに結合されたハンズフリーインタフェースをさらに備え、前記携帯型インタフェースが作動しているとき、高電力通信を送信する要求に応じて、前記インターロックが前記ハンズフリーインタフェースを作動させるユーザ通知を生成するように構成されている請求項５４に記載の無線端末。
【請求項６０】
前記インターロックがさらに、前記ハンズフリーインタフェースの作動に応じて前記トランシーバが前記電力閾値より大きい高電力通信を送信できるように構成されている請求項５９に記載の無線端末。
【請求項６１】
前記インターロックがさらに、前記携帯型インタフェースが作動しているとき、高電力通信を送信する要求の後、および前記ハンズフリーインタフェースの作動の前に、前記トランシーバを一定期間、使用可能にするように構成されている請求項６０に記載の無線端末。
【請求項６２】
前記インターロックがさらに、前記携帯型インタフェースが作動しているときに、前記トランシーバが、前記電力閾値より小さい低電力通信を送信できるように構成されている請求項５４に記載の無線端末。
【請求項６３】
前記トランシーバが、前記電力閾値より大きい等価等方放射電力（ＥＩＲＰ）で前記高電力通信を送信するように、および前記電力閾値より小さい等価放射電力（ＥＩＲＰ）で低電力通信を送信するように構成されている請求項５４に記載の無線端末。
【請求項６４】
前記電力閾値が、低電力閾値および高電力閾値を含み、前記トランシーバが、前記高電力閾値より大きい高電力通信を送信するように、および前記低電力閾値より小さい前記低電力通信を送信するように構成されており、前記インターロックは、前記携帯型インタフェースが作動しているとき、前記トランシーバが、前記高電力閾値より大きい前記高電力通信を送信することを防ぐように構成されている請求項５４に記載の無線端末。
【請求項６５】
電力閾値より大きい高電力通信を送信するように、かつ前記電力閾値より小さい低電力通信を送信するように構成されたトランシーバと、携帯型インタフェースとを含む無線端末を作動させる方法であって、
前記携帯型インタフェースが作動しているとき、前記トランシーバが、前記電力閾値より小さい前記低電力通信を送信できるようにするステップと、
前記携帯型インタフェースが作動しているとき、前記トランシーバが、前記電力閾値より大きい前記高電力通信を送信することを防ぐステップと
を含む、方法。
【請求項６６】
前記トランシーバが、宇宙ベースの通信および無線地上通信を実行できるように構成されており、前記トランシーバが、宇宙ベースの通信に対して、前記電力閾値より大きい高電力通信を送信するように、および地上通信に対して、前記電力閾値より小さい低電力通信を送信するように構成されている請求項６５に記載の方法。
【請求項６７】
前記無線端末がさらに、前記トランシーバに結合されたハンズフリーインタフェースを含み、前記方法がさらに、前記ハンズフリーインタフェースが作動しているとき、前記トランシーバが、前記電力閾値より大きい高電力通信を送信できるようにするステップを含む、請求項６５に記載の方法。
【請求項６８】
前記無線端末がさらに、前記無線端末から離れているコンパニオン送信デバイス用インタフェースを含み、前記方法がさらに、前記携帯型インタフェースが作動しているとき、前記電力閾値より大きい電力で、前記コンパニオン送信デバイスから前記高電力通信を送信するために、前記インタフェースを介して前記コンパニオン送信デバイスへ前記高電力通信を送るステップを含む請求項６５に記載の方法。
【請求項６９】
前記携帯型インタフェースが、前記携帯型インタフェースが作動しているとき、前記トランシーバによって受信される無線通信に対応して、ユーザの耳元に音声出力を供給するように構成された内蔵スピーカを備える請求項６５に記載の方法。
【請求項７０】
前記無線端末が、前記トランシーバに結合されたハンズフリーインタフェースを含み、前記方法がさらに、
前記ハンズフリーインタフェースが作動しているとき、高電力通信を送信する要求に応じて、前記ハンズフリーインタフェースを作動させるユーザ通知を生成するステップを含む請求項６５に記載の方法。
【請求項７１】
前記ハンズフリーインタフェースの作動に応じて、前記トランシーバが、前記電力閾値より大きい高電力通信を送ることを可能にするステップをさらに含む請求項７０に記載の方法。
【請求項７２】
前記高電力通信を送信する要求の後、および前記ハンズフリーインタフェースの作動の前に、前記携帯型インタフェースが作動しているとき、高電力通信を送信するために、前記トランシーバを一定期間、使用可能にするステップをさらに含む請求項７１に記載の方法。
【請求項７３】
前記無線端末が、前記無線端末から離れているコンパニオン送信デバイス用インタフェースを含み、前記方法がさらに、前記携帯型インタフェースが作動しているとき、高電力通信を送信する要求に応じて、前記コンパニオン送信デバイス用インタフェースを作動させるユーザ通知を生成するステップを含む請求項６５に記載の方法。
【請求項７４】
前記コンパニオン送信デバイス用インタフェースを作動させることに応じて、前記コンパニオン送信デバイスから前記高電力通信を送信するため、前記インタフェースを介した前記コンパニオン送信デバイスへの前記高電力通信を実行できるようにするステップをさらに含む請求項７３に記載の方法。
【請求項７５】
前記高電力通信を送信する要求の後、および前記コンパニオン送信デバイス用インタフェースの作動の前に、前記携帯型インタフェースが作動しているとき、前記トランシーバを一定期間、使用可能にするステップをさらに含む請求項７３に記載の方法。
【請求項７６】
前記トランシーバが、前記電力閾値より大きい等価等方放射電力（ＥＩＲＰ）で前記高電力通信を送信するように、かつ前記電力閾値より小さい等価放射電力（ＥＩＲＰ）で前記低電力通信を送信するように構成されている請求項６５に記載の方法。
【請求項７７】
前記電力閾値が、低電力閾値および高電力閾値を含み、前記トランシーバが前記高電力閾値より大きい前記高電力通信を送信するように、および前記低電力閾値より小さい前記低電力通信を送信するように構成されており、ここで、前記トランシーバが前記高電力通信を送信することを防ぐステップが、前記携帯型インタフェースが作動しているとき、前記トランシーバが前記高電力閾値より大きい前記高電力通信を送信することを防ぐステップを含む請求項６５に記載の方法。
【発明の詳細な説明】
【技術分野】
【０００１】
関連出願
本出願は、その全体を本明細書に援用する、２００４年４月７日にファイルされた、「Ｓａｔｅｌｌｉｔｅ／Ｈａｎｄｓ−Ｆｒｅｅ  Ｉｎｔｅｒｌｏｃｋ  Ｓｙｓｔｅｍｓ  Ａｎｄ  Ｍｅｔｈｏｄｓ  Ｆｏｒ  Ｒａｄｉｏｔｅｒｍｉｎａｌｓ」というタイトルの米国特許仮出願第６０／５６０，２２１号の優先権を主張する。
【０００２】
本発明は、無線端末通信システムおよび方法に関し、より具体的には、地上セルラおよび衛星セルラ無線端末通信システムおよび方法に関する。
【背景技術】
【０００３】
衛星通信システムおよび方法は、無線通信に幅広く用いられている。衛星通信システムおよび方法は、一般に、複数の衛星無線端末と無線で通信するように構成されている１つ以上の衛星等の、少なくとも１つの、宇宙空間を拠点とするコンポーネントを用いる。
【０００４】
衛星無線端末通信システムまたは方法は、該システムが普及している全エリアをカバーする単一の衛星アンテナパターン（ビーム）を用いることができる。別法として、セルラ衛星無線端末通信システムおよび方法においては、多数のアンテナパターン（ビームまたはセル）が設けられ、それらの各々は、全衛星サービスの電波到達範囲に集合的に作用するために、全サービス領域における実質的に相異なる地理的領域として機能することができる。従って、従来の地上セルラ／ＰＣＳ無線端末システムおよび方法に用いられていたのと同様のセルラ構造を、セルラ衛星をベースとするシステムおよび方法に実施することができる。該衛星は、典型的には、無線端末通信信号が、ダウンリンクまたはフォワードリンクを通じて該衛星から該無線端末へ、およびアップリンクまたはリターンリンクを通じて該無線端末から該衛星へ通信されている状態で、双方向通信路を通じて無線端末と通信する。
【０００５】
セルラ衛星無線端末システムおよび方法の全体のデザインおよび動作は、当業者に公知であり、本明細書でこれ以上説明する必要はない。また、本明細書において「無線端末（ｒａｄｉｏｔｅｒｍｉｎａｌ）」という用語を用いる場合、該用語は、マルチライン・ディスプレイ、すなわち、端末と、データ処理、ファクシミリおよび／またはデータ通信能力を組合わせることができるパーソナル移動通信システム（Ｐｅｒｓｏｎａｌ  Ｃｏｍｍｕｎｉｃａｔｉｏｎｓ  Ｓｙｓｔｅｍ；ＰＣＳ）端末、無線周波トランシーバおよび／またはページャ、インターネット／イントラネットアクセス、ウェブブラウザ、電子手帳、カレンダーおよび／またはＧＰＳ（ｇｌｏｂａｌ  ｐｏｓｉｔｉｏｎｉｎｇ  ｓｙｓｔｅｍ）レシーバを含むことができるＰＤＡ（Ｐｅｒｓｏｎａｌ  Ｄｉｇｉｔａｌ  Ａｓｓｉｓｔａｎｔｓ）、および／または従来のラップトップおよび／またはパームトップコンピュータあるいは、無線周波トランシーバを含む他の装置を有するまたは有しないセルラおよび／または衛星無線端末を含む。また、本明細書中で用いる場合、「無線端末」という用語は、時間依存性または固定された地理的座標を有してもよい、かつ携帯可能、可搬型であってもよく、（飛行の、海のまたは陸上の）乗物に設置することができる、あるいは、どの周波数を用いても、地球上および／または宇宙空間のどの位置でも、局所的におよび／または分散様式で作動するように配置および／または構成することができる何らかの放射ユーザデバイス／機器／ソースも含む。また、無線端末は、本明細書において、「無線電話（ｒａｄｉｏｔｅｌｅｐｈｏｎｅ）」、「端末（ｔｅｒｍｉｎａｌ）」、または、「無線ユーザ装置（ｗｉｒｅｌｅｓｓ  ｕｓｅｒ  ｄｅｖｉｃｅ）」と呼ぶこともできる。
【０００６】
地上ネットワークは、セルラ衛星無線端末システムに割り当てられているおよび／または該無線端末システムによって使用される少なくともいくつかの周波数帯域を地上で使用および／または再使用することにより、セルラ衛星無線端末システムの有用性、効率および／または採算性を向上させることができる。具体的には、衛星信号は、高層建築物によって遮断される可能性があり、および／またはビルを通り抜けることができないため、セルラ衛星無線端末システムにとって、人口密集地域で確実に機能することは難しい可能性があることが知られている。その結果として、衛星スペクトルは、そのようなエリアでは、十分に利用できない、または利用できない可能性がある。少なくともいくつかのセルラ衛星システムの周波数の地上での再使用は、この潜在的な問題を軽減または失くすことができる。
【０００７】
地上および衛星をベースとする通信接続性を備え、かつ衛星帯域のうちの少なくともいくつかの周波数を地上で使用および／または再使用するように構成されたハイブリッドシステムの容量は、地上での周波数の再使用は、衛星限定のシステムの密度よりも高密度になる可能性があるため、対応する衛星限定システムよりも高くなる可能性がある。実際には、容量は高めることができ、このことは、衛星限定システムの接続性／信号が信頼できない可能性がある人口密集都市／工業／商業地域においては、通常必要なことである。その結果として、該衛星帯域の周波数のうちの少なくともいくつかを地上で再使用するように構成されているハイブリッド（衛星／地上セルラ）システムは、より有効かつ確実に大規模加入者基地として機能することができる可能性があるため、より経済的に実行できる可能性がある。
【０００８】
衛星帯域周波数の地上での再使用の一実施例は、本明細書に完全に記載されているかのように、その開示を本明細書に援用する、「Ｓａｔｅｌｌｉｔｅ  Ｔｅｌｅｃｏｍｍｕｎｉｃａｔｉｏｎｓ  Ｒｅｐｅａｔｅｒｓ  ａｎｄ  Ｒｅｔｒａｎｓｍｉｓｓｉｏｎ  Ｍｅｔｈｏｄｓ」というタイトルの、本発明者であるＫａｒａｂｉｎｉｓへの米国特許第５，９３７，３３２号に記載されている。該明細書に記載されているように、受信し、増幅し、かつ該衛星通信中継器において衛星から受信した１つ以上の無線端末ダウンリンク信号へ局所的に再送信し、また、受信し、増幅し、かつ該衛星通信中継器において１つ以上の無線端末から受信した衛星アップリンク信号へ再送信し、それによって、該衛星通信中継器近傍での有効なダウンリンクおよびアップリンクマージンを増加させ、ビル、植物、輸送車両、およびリンクマージンを低減できる他の物体へのアップリンク信号およびダウンリンク信号の通過の増加を可能にする衛星通信中継器が設けられている。携帯型および非携帯型の両方の中継器が設けられている。米国特許第５，９３７，３３２号のアブストラクト参照。
【０００９】
衛星周波数帯域のうちの少なくともいくつかを地上で再使用し、地上通信および衛星通信の両方に、実質的に同じエアインタフェースを用いることによる地上通信能力を有する、衛星無線端末システムまたは方法のための衛星無線端末は、他の手段よりもより費用効率が高くおよび／または審美的にアピールする可能性がある。スラーヤ（Ｔｈｕｒａｙａ）、イリジウム（Ｉｒｉｄｉｕｍ）および／またはグローバルスター（Ｇｌｏｂａｌｓｔａｒ）等のデュアルモード衛星／地上無線端末などの従来のデュアルバンド／デュアルモードの無線端末代替物は、（それぞれ、衛星通信および地上通信に用いられる異なる周波数帯域および／またはエアインタフェースプロトコルの結果として）いくつかのコンポーネントが重複し、このことは、該無線端末のコスト、サイズおよび／または重量の増加につながる可能性がある。「Ｓａｔｅｌｌｉｔｅ  Ｓｙｓｔｅｍ  Ｕｔｉｌｉｚｉｎｇ  ａ  Ｐｌｕｒａｌｉｔｙ  ｏｆ  Ａｉｒ  Ｉｎｔｅｒｆａｃｅ  Ｓｔａｎｄａｒｄｓ  ａｎｄ  Ｍｅｔｈｏｄ  Ｅｍｐｌｏｙｉｎｇ  Ｓａｍｅ」というタイトルの、本発明者であるＫａｒａｂｉｎｉｓへの米国特許第６，０５２，５６０号を参照。
【００１０】
本明細書に完全に記載されているかのように、その開示全体を本明細書に援用する、「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ」というタイトルの、本発明者であるＫａｒａｂｉｎｉｓへの米国特許第６，６８４，０５７号は、干渉除去技術を用いて、同じ衛星セル内でも補助的な地上ネットワークにより、衛星周波数を地上で再使用できることを説明している。具体的には、米国特許第６，６８４，０５７号のいくつかの実施形態によるシステムは、衛星無線電話周波数帯域を通じて衛星の電波到達範囲内の第１の無線電話からの無線通信を受信するように構成されている宇宙空間を拠点とするコンポーネントと、衛星無線電話の周波数帯域を通じて、該衛星の電波到達範囲内の第２の無線電話からの無線通信を受信するように構成されている補助的な地上ネットワークとを含む。該宇宙空間を拠点とするコンポーネントは、該衛星無線電話の周波数帯域を通じて該衛星の電波到達範囲内の該第１の無線電話から受信される無線通信と共に、該衛星無線電話の周波数帯域を通じて、該衛星の電波到達範囲内の該第２の無線電話からの無線通信も干渉として受信する。干渉リデューサ（ｉｎｔｅｒｆｅｒｅｎｃｅ  ｒｅｄｕｃｅｒ）は、該宇宙空間を拠点とするコンポーネントおよび該補助的な地上ネットワークに対応しており、該衛星無線電話の周波数帯域を通じて、該衛星の電波到達範囲内の該第２の無線電話から該補助的な地上ネットワークによって受信される無線通信を用いて、該衛星無線電話の周波数帯域を通じて、該衛星の電波到達範囲内の該第１の無線電話から該宇宙空間を拠点とするコンポーネントにより受信される無線通信からの干渉を低減するように構成されている。
【００１１】
衛星周波数の地上での再使用を利用することができる衛星無線端末通信システムおよび方法は、「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ」というタイトルの、Ｋａｒａｂｉｎｉｓへの公開された米国特許第２００３／００５４７６０号、「Ｓｐａｔｉａｌ  Ｇｕａｒｄｂａｎｄｓ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」というタイトルの、Ｋａｒａｂｉｎｉｓへの米国特許第２００３／００５４７６１号、「Ｓｙｓｔｅｍｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」というタイトルの、Ｋａｒａｂｉｎｉｓ等への米国特許第２００３／００５４８１４号、「Ａｄｄｉｔｉｏｎａｌ  Ｓｙｓｔｅｍｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」というタイトルの、Ｋａｒａｂｉｎｉｓ等への米国特許第２００３／００７３４３６号、「Ｍｕｌｔｉ−Ｂａｎｄ／Ｍｕｌｔｉ−Ｍｏｄｅ  Ｓａｔｅｌｌｉｔｅ  Ｒａｄｉｏｔｅｌｅｐｈｏｎｅ  Ｃｏｍｍｕｎｉｃａｔｉｏｎｓ  Ｓｙｓｔｅｍｓ  ａｎｄ  Ｍｅｔｈｏｄｓ」というタイトルの、Ｋａｒａｂｉｎｉｓへの米国特許第２００３／００５４７６２号、「Ｗｉｒｅｌｅｓｓ  Ｃｏｍｍｕｎｉｃａｔｉｏｎｓ  Ｓｙｓｔｅｍｓ  ａｎｄ  Ｍｅｔｈｏｄｓ  Ｕｓｉｎｇ  Ｓａｔｅｌｌｉｔｅ−Ｌｉｎｋｅｄ  Ｒｅｍｏｔｅ  Ｔｅｒｍｉｎａｌ  Ｉｎｔｅｒｆａｃｅ  Ｓｕｂｓｙｓｔｅｍｓ」というタイトルの、Ｋａｒａｂｉｎｉｓへの米国特許第２００３／０１５３２６７号、「Ｓｙｓｔｅｍｓ  ａｎｄ  Ｍｅｔｈｏｄｓ  ｆｏｒ  Ｒｅｄｕｃｉｎｇ  Ｓａｔｅｌｌｉｔｅ  Ｆｅｅｄｅｒ  Ｌｉｎｋ  Ｂａｎｄｗｉｄｔｈ／Ｃａｒｒｉｅｒｓ  Ｉｎ  Ｃｅｌｌｕｌａｒ  Ｓａｔｅｌｌｉｔｅ  Ｓｙｓｔｅｍｓ」というタイトルの、Ｋａｒａｂｉｎｉｓへの米国特許第２００３／０２２４７８５号、「Ｃｏｏｒｄｉｎａｔｅｄ  Ｓａｔｅｌｌｉｔｅ−Ｔｅｒｒｅｓｔｒｉａｌ  Ｆｒｅｑｕｅｎｃｙ  Ｒｅｕｓｅ」というタイトルの、Ｋａｒａｂｉｎｉｓ等への米国特許第２００２／００４１５７５号、「Ｉｎｔｅｇｒａｔｅｄ  ｏｒ  Ａｕｔｏｎｏｍｏｕｓ  Ｓｙｓｔｅｍ  ａｎｄ  Ｍｅｔｈｏｄ  ｏｆ  Ｓａｔｅｌｌｉｔｅ−Ｔｅｒｒｅｓｔｒｉａｌ  Ｆｒｅｑｕｅｎｃｙ  Ｒｅｕｓｅ  Ｕｓｉｎｇ  Ｓｉｇｎａｌ  Ａｔｔｅｎｕａｔｉｏｎ  ａｎｄ／ｏｒ  Ｂｌｏｃｋａｇｅ，Ｄｙｎａｍｉｃ  Ａｓｓｉｇｎｍｅｎｔ  ｏｆ  Ｆｒｅｑｕｅｎｃｉｅｓ  ａｎｄ／ｏｒ  Ｈｙｓｔｅｒｅｓｉｓ」というタイトルの、Ｋａｒａｂｉｎｉｓ等への米国特許第２００２／００９０９４２号、「Ｓｐａｃｅ−Ｂａｓｅｄ  Ｎｅｔｗｏｒｋ  Ａｒｃｈｉｔｅｃｔｕｒｅｓ  ｆｏｒ  Ｓａｔｅｌｌｉｔｅ  Ｒａｄｉｏｔｅｌｅｐｈｏｎｅ  Ｓｙｓｔｅｍｓ」というタイトルの、Ｋａｒａｂ��ｎｉｓ等への米国特許第２００３／００６８９７８号、「Ｆｉｌｔｅｒｓ  ｆｏｒ  Ｃｏｍｂｉｎｅｄ  Ｒａｄｉｏｔｅｌｅｐｈｏｎｅ／ＧＰＳ  Ｔｅｒｍｉｎａｌｓ」というタイトルの、Ｋａｒａｂｉｎｉｓへの米国特許第６，７８５，５４３号、「Ｓｔａｇｇｅｒｅｄ  Ｓｅｃｔｏｒｉｚａｔｉｏｎ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」というタイトルの、Ｋａｒａｂｉｎｉｓへの米国特許第２００３／０１５３３０８号、および「Ｍｅｔｈｏｄｓ  ａｎｄ  Ｓｙｓｔｅｍｓ  ｆｏｒ  Ｍｏｄｉｆｙｉｎｇ  Ｓａｔｅｌｌｉｔｅ  Ａｎｔｅｎｎａ  Ｃｅｌｌ  Ｐａｔｔｅｒｎｓ  Ｉｎ  Ｒｅｓｐｏｎｓｅ  ｔｏ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」というタイトルの、Ｋａｒａｂｉｎｉｓへの米国特許第２００３／００５４８１５号にも記載されており、これらの特許は全て本発明の譲受人に譲渡されており、これらの明細書全体を、本明細書に完全に記載されているかのように、本明細書に援用する。
【００１２】
いくつかの衛星無線端末通信システムおよび方法は、無線端末との通信に多数の帯域を使用する衛星を用いることができる。例えば、上述したＫａｒａｂｉｎｉｓへの米国特許出願公開２００３／００５４７６２号は、衛星セルに分割されている衛星の電波到達範囲内の無線端末と通信するように構成されている、宇宙空間を拠点とするコンポーネントを含む衛星無線端末システムおよび通信方法について記述している。該宇宙空間を拠点とするコンポーネントは、第１の周波数帯域および／または第１のエアインタフェースを通じて、第１の衛星セル内の第１の無線端末と通信するように、および第２の周波数帯域および／または第２のエアインタフェースを通じて、該第１または第２の衛星セル内の第２の無線端末と通信するように構成されている。また、実質的に該第１の周波数帯域および／または実質的に該第１のエアインタフェースを通じて、該第１の無線端末と地上で通信するように、および実質的に該第２の周波数帯域および／または実質的に該第２のエアインタフェースを通じて、該第２の無線端末と地上で通信するように構成されている補助的な地上ネットワークも設けられている。米国特許出願公開第２００３／００５４７６２号のアブストラクトを参照。
【発明の開示】
【００１３】
本発明の実施形態によれば、無線端末は、トランシーバと、該トランシーバに結合された携帯型インタフェースと、該トランシーバに結合されたインターロックとを含むことができる。該トランシーバは、無線通信を送信および受信するように構成することができる。より具体的には、該トランシーバは、高電力閾値以上の電力および／または等価等方放射電力（Ｅｑｕｉｖａｌｅｎｔ  Ｉｓｏｔｒｏｐｉｃ  Ｒａｄｉａｔｅｄ  Ｐｏｗｅｒ；ＥＩＲＰ）で、および／または最大高電力および／またはＥＩＲＰレベルで、高電力通信を送信するように、および低電力閾値以下の電力および／またはＥＩＲＰで、および／または最大低出力および／またはＥＩＲＰレベルで、低電力通信を送信するように構成することができる。加えて、該インターロックは、該トランシーバが、該携帯型インタフェースが作動しているときに、該高電力閾値以上の電力および／またはＥＩＲＰで高電力通信を送信するのを防ぐように構成することができる。他の実施形態においては、該インターロックは、該携帯型インタフェースが作動しており、かつ衛星プッシュ・トゥ・センド（ｐｕｓｈ−ｔｏ−ｓｅｎｄ）モード（すなわち、プッシュ・トゥ・トーク（Ｐｕｓｈ−ｔｏ−Ｔａｌｋ；ＰＴＴ））および／またはデータモードで選択的に使用されているときに、該トランシーバが、高電力閾値以上の電力および／またはＥＩＲＰで高電力通信を送信できるように構成することができる。該低電力閾値および高電力閾値は、同じ電力閾値としてもよく、あるいは、該低電力閾値は、該高電力閾値よりも大きくまたは小さくしてもよい。
【００１４】
より具体的には、前記携帯型インタフェースは、該携帯型インタフェースが作動しているときに、前記トランシーバによって受信された無線通信に対応する音声出力を生成するように構成された内蔵スピーカを含んでもよい。また、該携帯型インタフェースは、無線通信に対応するおよび／または該トランシーバにより送信されるデータ出力および／またはデータ入力を生成するように構成された内蔵ディスプレイおよび／またはキーパッドも含んでもよい。該インターロックは、該携帯型インタフェースが作動しているときに、該トランシーバが、該低電力閾値以下の電力および／またはＥＩＲＰで低電力通信を送信できるように構成することもできる。
【００１５】
より具体的には、前記トランシーバは、宇宙ベースの通信および無線地上通信を実行できるように、および宇宙ベースの通信に対して高電力閾値以上の電力および／またはＥＩＲＰで高電力通信を送信するように、および低電力閾値以下の電力および／またはＥＩＲＰで低電力通信を送信するように、または、地上通信に対して、高電力閾値以上の電力および／またはＥＩＲＰで高電力通信を送信するように構成することができる。また、該トランシーバは、低電力閾値以下の電力および／またはＥＩＲＰで、送信のための低電力通信を増幅するように構成された低電力送信増幅器と、高電力閾値以上の電力および／またはＥＩＲＰで、送信のための高電力通信を増幅するように構成された高電力送信増幅器とを含んでもよい。従って、該インターロックは、該携帯型インタフェースが作動しているときに、該高電力送信増幅器を不能状態にするように構成することができる。いくつかの実施形態においては、該低電力送信増幅器および高電力送信増幅器は、低電力送信モードと高電力送信モードとを含むように構成されている同じ増幅器であってもよい。
【００１６】
また、ハンズフリーインタフェースは、前記トランシーバに結合してもよく、前記インターロックはさらに、該ハンズフリーインタフェースが作動しているときに、該トランシーバが、高電力閾値以上の電力および／またはＥＩＲＰで高電力通信を送信できるように構成することができる。該ハンズフリーインタフェースは、例えば、リモート受話器および／またはスピーカ用カップリングを含んでもよく、該リモート受話器および／またはスピーカ用カップリングは、連結されたおよび／または連結されていないカップリングを含んでもよい。加えてまたは代替例においては、該リモート受話器および／またはスピーカ用カップリングは、前記無線端末を受信し、かつ該無線端末をリモートラウドスピーカに結合するように構成されたクレードルのためのインタフェースを含んでもよい。別の代替例においては、該ハンズフリーインタフェースは、スピーカフォン用インタフェースを含んでもよい。他の実施形態においては、該携帯型インタフェースおよび／または該無線端末は、該携帯型インタフェースおよび／または無線端末から一定距離に選択的に配置することができる放射素子を備えるアンテナを含んでもよく、また、該インターロックは、該放射素子が、該携帯型インタフェースおよび／または無線端末から実質的に所定距離に配置され、または、該携帯型インタフェースおよび／または無線端末から該所定距離よりも長い距離に配置されている場合に、該トランシーバが、低電力閾値以下の電力および／またはＥＩＲＰで低電力通信を、または、高電力閾値以上の電力および／またはＥＩＲＰで高電力通信を送信できるように、および該放射素子が、該所定距離よりも実質的に小さい該携帯型インタフェースおよび／または無線端末からの距離に配置されている場合に、低電力閾値以下の電力および／またはＥＩＲＰで低電力通信を送信できるように構成することができる。
【００１７】
インタフェースが、前記携帯型インタフェースが作動しているときに、高電力閾値以上の電力および／またはＥＩＲＰで、コンパニオン送信デバイスから高電力通信を送信するために、該コンパニオン送信デバイスに高電力通信を与えるように構成されているコンパニオン送信デバイス用インタフェースを設けてもよい。該インタフェースは、無線インタフェースおよび／または有線インタフェースを備える。該コンパニオン送信デバイスは、該携帯型インタフェースおよび／または無線端末に取付けられ、かつ作動可能なように結合されるように構成することができ、また、該携帯型インタフェースおよび／または無線端末から選択的に取外し可能であるように、かつ該携帯型インタフェースおよび／または無線端末に作動可能なように結合されるように構成することができる。また、無線端末アンテナは、該トランシーバに結合してもよく、また、該コンパニオンデバイスは、コンパニオンデバイスアンテナを含んでもよい。また、該コンパニオンデバイスアンテナの利得は、該無線端末のアンテナの利得よりも大きくすることができる。いくつかの実施形態においては、該コンパニオンデバイスアンテナは、実質的に円偏光された電磁エネルギを放射するように構成されており、また、該無線端末アンテナは、該コンパニオンデバイスアンテナにより放射される電磁エネルギの偏光と比較して、実質的に同じかまたは異なる偏光で放射するように構成されている。加えて、または別法として、該トランシーバは、該無線端末内に、送信増幅器を含んでもよく、また、該コンパニオンデバイスは、該コンパニオンデバイス内にあってもよい該無線端末の外部に送信増幅器を含んでもよい。また、該コンパニオンデバイス内にあってもよい該無線端末の外部の該送信増幅器の最大電力レベル等の電力レベルは、該無線端末内の該送信増幅器の最大電力レベル等の電力レベルよりも大きくてもよい。
【００１８】
また、ハンズフリーインタフェースは、前記トランシーバに結合してもよく、前記インターロックは、前記携帯型インタフェースが作動しているときに、高電力通信を送信する要求に応じて、該ハンズフリーインタフェースを作動させるユーザ通知を生成するように構成してもよい。また、該インターロックは、該トランシーバが、該ハンズフリーインタフェースの作動に応じて、高電力閾値以上の電力および／またはＥＩＲＰで、高電力通信を送信できるように構成することもできる。加えて、該インターロックは、該携帯型インタフェースが作動している場合、高電力通信を送信する要求後、および該ハンズフリーインタフェースの作動前の一定期間、該トランシーバを使用可能にするように構成してもよい。
【００１９】
コンパニオン送信デバイス用インタフェースを提供することもでき、また、前記インターロックは、前記携帯型インタフェースが作動しているときに、高電力通信を送信する要求に応じて、該コンパニオン送信デバイス用インタフェースを作動させるユーザ通知を生成するように構成してもよい。また、該インターロックは、該コンパニオン送信デバイス用インタフェースを作動させることに応じて、該コンパニオン送信デバイスから高電力通信を送信するために、該インタフェースを介して該コンパニオン送信デバイスへ高電力通信を実行できるように構成してもよい。該インターロックは、高電力通信を送信する要求後、および該コンパニオン送信デバイス用インタフェースの作動前に、該携帯型インタフェースが作動している場合に、該トランシーバを一定期間、使用可能にするように構成してもよい。
【００２０】
本発明の追加的な実施形態によれば、高電力閾値以上の電力および／またはＥＩＲＰで、高電力通信を送信するように、および低電力閾値以下の電力および／またはＥＩＲＰで、低電力通信を送信するように構成されたトランシーバを含み、かつ携帯型インタフェースを含む無線端末を作動させる方法を提供することができる。より具体的には、該方法は、該トランシーバが、該携帯型インタフェースが作動しているときに、低電力閾値以下の電力および／またはＥＩＲＰで、低電力通信を送信できるようにすることを含んでもよい。該トランシーバは、該携帯型インタフェースが作動しているときに、高電力閾値以上の電力および／またはＥＩＲＰで、高電力通信を送信することを防ぐことができる。該携帯型インタフェースは、該携帯型インタフェースが作動しているときに、該トランシーバによって受信される無線通信に応じて、ユーザの耳元で、音声出力を生成するように構成された内蔵スピーカを含んでもよい。
【００２１】
前記トランシーバは、宇宙ベースの通信および無線地上通信を実行できるように構成することができ、また、該トランシーバは、宇宙ベースの通信の場合に、高電力閾値以上の電力および／またはＥＩＲＰで、高電力通信を送信するように、また、地上通信の場合に、低電力閾値以下の電力および／またはＥＩＲＰで、低電力通信を送信するように構成することができる。該トランシーバは、低電力通信を増幅するように構成された低電力送信増幅器と、高電力通信を増幅するように構成された高電力送信増幅器とを含んでもよい。従って、該トランシーバが、該携帯型インタフェースが作動しているときに、高電力通信を送信することを防ぐことは、該携帯型インタフェースが作動しているときに、該高電力送信増幅器を使用不能にすることを含んでもよい。
【００２２】
また、前記無線端末は、前記トランシーバに結合されたハンズフリーインタフェースを含んでもよく、該トランシーバは、前記ハンズフリーインタフェースが作動しているときに、高電力閾値以上の電力および／またはＥＩＲＰで、高電力通信を送信できるようにしてもよい。該ハンズフリーインタフェースは、リモート受話器および／またはスピーカ用カップリング、および／またはスピーカフォン用インタフェースを含んでもよい。また、該無線端末は、コンパニオン送信デバイス用インタフェースを含んでもよく、高電力通信は、該携帯型インタフェースが作動しているときに、高電力閾値以上の電力および／またはＥＩＲＰで、該コンパニオン送信デバイスにより送信されるように、該インタフェースを介して該コンパニオン送信デバイスへ提供することができる。
【００２３】
前記無線端末は、前記トランシーバに結合されたハンズフリーインタフェースを含んでもよく、また、該ハンズフリーインタフェースを作動させるユーザ通知は、該携帯型インタフェースが作動しているときに、高電力通信を送信する要求に応じて与えてもよい。該トランシーバは、該ハンズフリーインタフェースの作動に応じて、高電力閾値以上の電力および／またはＥＩＲＰで、高電力通信を実行できるようにしてもよい。高電力通信を送信する要求後、および該ハンズフリーインタフェースの作動前に、該トランシーバは、該携帯型インタフェースが作動しているときに、一定期間、高電力通信を送信できるようにすることもできる。
【００２４】
前記無線端末は、該無線端末から遠隔操作することができるコンパニオン送信デバイス用インタフェースを含んでもよく、該コンパニオン送信デバイス用インタフェースを作動させるユーザ通知は、該携帯型インタフェースが作動しているときに、高電力通信を送信する要求に応じて与えることができる。該高電力通信は、該コンパニオン送信デバイス用インタフェースを作動させることに応じて、該コンパニオン送信デバイスから送信されるように、該インタフェースを介して該コンパニオン送信デバイスへ供給することができる。加えて、該トランシーバは、高電力通信を送信する要求後、および該コンパニオン送信デバイス用インタフェースの作動前に、該携帯型インタフェースが作動しているときに、一定期間、使用可能にすることができる。
【００２５】
本発明のさらに追加的な実施形態によれば、無線端末は、トランシーバと、ハンズフリーインタフェースと、衛星／ハンズフリーインタロックとを含んでもよい。該トランシーバは、宇宙ベースの通信および地上無線通信用に構成することができ、また、該衛星／ハンズフリーインタロックは、該ハンズフリーインタフェースが作動しない限り、該トランシーバが宇宙ベースの通信を送信することを防ぐように構成することができる。例えば、該ハンズフリーインタフェースは、リモート受話器および／またはスピーカフォン用インタフェースのためのカップリングを含んでもよい。
【００２６】
また、携帯型インタフェースを設けてもよく、前記インターロックはさらに、該携帯型インタフェースが作動しているときに、前記トランシーバが宇宙ベースの通信を送信するのを防ぐように構成してもよい。例えば、該携帯型インタフェースは、該携帯型インタフェースが作動しているときに、該トランシーバによって受信される無線通信に応じて、ユーザの耳元で、音声出力を生成するように構成された内蔵スピーカを含んでもよい。また、前記衛星／ハンズフリーインタロックは、該携帯型インタフェースが作動しているときに、宇宙ベースの通信を送信する要求に応じて、該ハンズフリーインタフェースを作動させるユーザ通知を与えるように構成してもよい。該衛星／ハンズフリーインタロックは、該携帯型インタフェースが作動しているときに、該ハンズフリーインタフェースの作動を要することなく、宇宙ベースの通信を送信する要求後、一定期間、該トランシーバを使用可能にするように構成することもできる。加えて、該衛星／ハンズフリーインタロックは、該提携型インタフェースが作動しているときに、該トランシーバが地上通信を送信できるように構成することもできる。
【００２７】
本発明のまた追加的な実施形態によれば、宇宙ベースの通信用および地上無線通信用に構成されたトランシーバを含み、かつハンズフリーインタフェースを含む無線端末を作動させる方法を提供することができる。該方法は、該ハンズフリーインタフェースが作動していないときに、該トランシーバが地上通信を送信できるようにすることと、該ハンズフリーインタフェースが作動しない限り、該トランシーバが宇宙ベースの通信を送信するのを防ぐこととを含んでもよい。例えば、該ハンズフリーインタフェースは、リモート受話器および／またはスピーカフォン用インタフェースのためのカップリングを含んでもよい。
【００２８】
加えて、前記トランシーバは、前記携帯型インタフェースが作動しているとき、宇宙ベースの通信を送信するのを防ぐことができる。例えば、該携帯型インタフェースは、該携帯型インタフェースが作動しているときに、該トランシーバによって受信される無線通信に応じて、音声出力を生成するように構成された内蔵スピーカを含んでもよい。また、該ハンズフリーインタフェースを作動させるユーザ通知は、該携帯型インタフェースが作動しているときに、宇宙ベースの通信を送信する要求に応じて生成することができる。また、該トランシーバは、該携帯型インタフェースが作動しているとき、該ハンズフリーインタフェースの作動を要することなく、宇宙ベースの通信を送信する要求後に、一定期間、使用可能にすることができる。また、該トランシーバは、該携帯型インタフェースが作動しているときに、地上通信を送信できるようにしてもよい。
【発明を実施するための最良の形態】
【００２９】
次に、本発明の実施形態が示されている添付図面を参照し、本発明をより完全に説明する。しかし、本発明は、多くの異なる構成で実施することができ、本明細書に記載された実施形態に限定するものと解釈すべきではない。むしろ、それらの実施形態は、この開示が、詳細かつ完全となり、本発明の範囲を当業者に完全に知らせるように記載されている。同様の数字は、全体を通して同様の構成要素を示す。
【００３０】
第１の、第２の、第３の、第４の等の用語は、本明細書において、様々な構成要素を説明するのに用いることができるが、それらの構成要素は、これらの用語によって限定すべきではないことは理解されよう。これらの用語は、一方の構成要素を他方の構成要素と区別するためにのみ用いられる。従って、本発明の教示を逸脱することなく、例えば、以下の第１の構成要素は、第２の、第３の、または、第４の構成要素と呼ぶことができ、また同様に、第２の構成要素は、第１の、第３の、または、第４の構成要素と呼ぶことができ、以下同様である。本明細書において用いる場合、「および／または」という用語は、１つ以上の関連する記載されたアイテムの何れかおよび全ての組合せを含む。また、「／」という符号は、「および／または」のための簡単な表記である。また、本明細書において用いる場合、「実質的に同じ」帯域とは、論じている／比較されている１つ以上の帯域が実質的に重なっているが、例えば、帯域端において、重なっていないいくつかの領域が存在する可能性があることを意味する。また、「実質的に同じ」エアインタフェースとは、論じている／比較されている２つ以上のエアインタフェースが、同様であるが、同一である必要はないことを意味する。例えば、地上システムと衛星システムとの間の異なる特性および／またはサービス品質（Ｑｕａｌｉｔｙ−ｏｆ−Ｓｅｒｖｉｃｅ；ＱｏＳ）目標等の、例えば、２つ以上のそれぞれのシステムの異なる特性および／またはＱｏＳ目標から成る２つ以上のエアインタフェースの間には、いくつかの違いがあってもよい。例えば、それぞれの異なるボコーダ・レートは、衛星通信および地上通信に用いることができる（例えば、１３または１６ｋｂｐｓのボコーダ・レートは、地上通信に用いることができ、４または２ｋｂｐｓのボコーダ・レートは、衛星通信に用いることができる）。また、異なる順方向誤り訂正符号化、異なるインターリービング深度および／または異なるスペクトラム拡散符号（例えば、ウォルシュ符号、長い符号および／または周波数ホッピング符号）は、地上通信に用いることができるそれぞれのパラメータ／量／アルゴリズムと比較して、衛星通信に用いることができる。また、「実質的に同じ」帯域の周波数とは、比較される周波数の帯域が、周波数の共通のセットを含むが、少なくとも１つの帯域に含まれるいくつかの周波数は、異なっていてもよい（非共通）ことを意味する。一般的に、「ＸとＹは実質的に同じである」とは、ＸおよびＹが、複数の同一および／または同様のパラメータおよび／または特性を有し／共有するが、ＸおよびＹは、少なくとも１つのパラメータおよび／または特性が異なっていてもよいことを意味する。
【００３１】
１つの構成要素が他の構成要素に「接続されている」または「結合されている」という場合、該構成要素は、他の構成要素に直接接続または結合することができる、あるいは、介在する構成要素が存在する可能性があることは理解されよう。さらに、本明細書において用いる場合、「接続された」または「結合された」という用語は、無線で接続されたまたは結合されたことを含んでもよい。本明細書で用いる専門用語は、特定の実施形態を説明するためのものであり、本発明を限定しようとするものではない。本明細書で用いる場合、単数形の「ａ」、「ａｎ」および「ｔｈｅ」は、断りのない限り、複数形も含むことが意図されている。さらに、この明細書で用いる場合、「含む（ｉｎｃｌｕｄｅｓ）」、「備える（ｃｏｍｐｒｉｓｅｓ）」、「含んでいる（ｉｎｃｌｕｄｉｎｇ）」および／または「備えている（ｃｏｍｐｒｉｓｉｎｇ）」という用語は、規定された特徴、整数、ステップ、動作、構成要素、および／またはコンポーネントの存在を指定するものであるが、１つ以上の他の特徴、整数、ステップ、動作、構成要素、コンポーネントおよび／またはそれらの群の存在または追加を排除するものではない。
【００３２】
別に規定されない限り、本明細書において用いられている（技術的および科学的用語を含む）全ての用語は、本発明が属する当該分野の熟練者が一般的に理解しているのと同じ意味を有する。さらに、一般的に用いられている辞書で定義されている用語等の用語は、関連技術および本開示に照らしてその意味と一致する意味を有しているものと解釈すべきであること、また、本明細書においてそのように明確に定義されていない限り、理想的なまたは過度に本来の意味で解釈されないであろうことは理解されよう。
【００３３】
図１は、本発明の実施形態による衛星無線端末通信システムの概略図である。図１に示すように、宇宙ベースのネットワーク（Ｓｐａｃｅ−Ｂａｓｅｄ  Ｎｅｔｗｏｒｋ；ＳＢＮ）は、衛星の電波到達範囲１１２内の複数の無線端末１２０と通信するように構成されている衛星１１０等の１つ以上の宇宙ベースのコンポーネント（Ｓｐａｃｅ−Ｂａｓｅｄ  Ｃｏｍｐｏｎｅｎｔｓ；ＳＢＣ）を含む。また、１つ以上の補助地上コンポーネント（Ａｎｃｉｌｌａｒｙ  Ｔｅｒｒｅｓｔｒｉａｌ  Ｃｏｍｐｏｎｅｎｔｓ；ＡＴＣ）１３０を含む補助地上ネットワーク（Ａｎｃｉｌｌａｒｙ  Ｔｅｒｒｅｓｔｒｉａｌ  Ｎｅｔｗｏｒｋ；ＡＴＮ）も、無線端末１２０と通信するように構成されている。該補助地上ネットワークは、該衛星の電波到達範囲から地理的に離れていてもよく、および／または衛星の電波到達範囲１１２内に少なくとも一部が含まれていてもよい。衛星のフォワードリンク１１１および衛星のリターンリンク１１４を通じた、衛星１１０と無線端末１２０との間の通信、および補助地上コンポーネントのフォワードリンク１３２および補助地上コンポーネントのリターンリンク１３４を通じた、補助地上コンポーネント１３０と無線端末１２０との間の通信は、本発明のいくつかの実施形態において、実質的に同じ衛星周波数帯域および／または実質的に同じエアインタフェースを用いて実現できる。
【００３４】
本発明のいくつかの実施形態においては、前記宇宙ベースのネットワークは、比較的小さく、そのため比較的低い利得のアンテナを有することができる１つ以上の衛星１１０を用いることができる。例えば、約６ｍ径のアンテナ、約９ｍ径のアンテナまたは約１２ｍ径のアンテナを、少なくとも１つの衛星１１０に設けることができる。その結果として、衛星／ＡＴＣ無線端末１２０のアンテナ利得および／または電力増幅器の出力レベルは、無線端末１２０が補助地上コンポーネント１３０と通信してきるときの無線端末１２０のアンテナ利得および／または電力増幅器の出力レベルと比較して、該無線端末が衛星１１０と通信しているときに、増加させることができる。従って、図１に示すように、衛星リターンリンク１１４で送信される電力レベルＰ１は、補助地上コンポーネントのリターンリンク１３４で送信される電力レベルＰ２よりも大きくなるように増加させることができる。つまり、Ｐ１＞Ｐ２である。無線端末１２０は、ＡＴＣモードにおける該無線端末のＥＩＲＰと比較して、衛星モードにおけるより高いＥＩＲＰで放射することが可能なため、無線端末１２０は、衛星モードで、およびＡＴＣモードの場合と実質的に同じ作動構成（すなわち、ユーザの頭部の隣に／隣接して／近接しておよび／または該頭部から特定距離に保持されている）に従って評価した場合、規則および／または安全上の関係によって決めることができる所望の比吸収率（Ｓｐｅｃｉｆｉｃ  Ａｂｓｏｒｐｔｉｏｎ  Ｒａｔｅ；ＳＡＲ）を保たなくてもよい。
【００３５】
次に、図２について説明すると、本発明のいくつかの実施形態は、無線端末１２０のトランシーバ１２４および／またはアンテナ１２２が、無線端末１２０のハンズフリーインタフェース１２８が作動している場合を除いて、衛星モードで実質的に送信することを防ぐように構成されている衛星／ハンズフリーインタロック１２６を含む衛星／ＡＴＣ無線端末１２０を設けることができる。当業者にはよく知られているように、ハンズフリーインタフェース１２８は、連結受話器およびマイクロフォンと、スピーカフォン用インタフェースと、クレードルおよび／または従来の他の何らかの連結されたおよび／または連結されていないハンズフリーインタフェースとを備えることができる。連結されていないハンズフリーインタフェースは、認可されたおよび／または認可されていない周波数を通じて、ブルートゥース、ワイファイ（ＷｉＦｉ）、ＷｉＭＡＸ、赤外線、紫外線および／または他の無線ローカルエリア（および／またはパーソナルエリア）ネットワーク通信技術を用いてもよい。
【００３６】
従って、ユーザが、衛星１１０を介して通信すると同時に、該ユーザの耳の近くで無線端末１２０を保持する可能性を実質的に低減またはなくすために、無線端末１２０は、該無線端末が衛星アクティブモードになっており、かつ通信チャネルが、該衛星システムによって無線端末１２０に既に割り当てられている場合に、無線端末１２０においてハンズフリーモードが作動されている場合を除いて、該無線端末が、実質的に送信できなくなるように構成することができる。
【００３７】
当業者には、図２の無線端末１２０が、マイクロプロセッサ等のデータプロセッサ、ディジタル信号プロセッサ、無線周波コンポーネント、マンマシンインタフェースおよび／または他の従来のコンポーネントを含む他の従来のコンポーネントを含んでもよいことが理解されよう。衛星／ハンズフリーインタロック１２６は、例えば、少なくとも部分的に、例えば、周期的にまたは非周期的に、および／または割込みに応じて、該マンマシンインタフェースおよび／または該無線端末における少なくとも１つの受信信号および／または該無線端末による少なくとも１つの送信信号に応答して作動するデータプロセッサ上で実行する蓄積されたプログラムによって実現することができる。ソフトウェアおよび／または他のハードウェアの組合せも、衛星／ハンズフリーインタロック１２６を実施するのに用いることができる。
【００３８】
図３は、本発明の様々な実施形態による、図２の衛星／ハンズフリーインタロック１２６等の衛星／ハンズフリーインタロックを実現するために実行することができる動作のフローチャートである。図３について説明すると、ブロック３１０において、衛星モード通信チャネル要求がなされたか否かの判断が実行される。該衛星モード要求は、該衛星モードを使用するユーザ無線端末要求および／または該衛星モードを用いて、通信を始めるためのおよび／またはＡＴＣモードおよび／またはセルラ／ＰＣＳモードから衛星モードに該ユーザ無線端末をハンドオーバするためのシステム要求に基づいてもよい。
【００３９】
さらに図３について説明すると、ブロック３１０において、衛星モード要求がなされた場合、前記無線端末のハンズフリー動作がアクティブか否かに関してテストが実行される。ハンズフリー動作は、ブロック３２０において、例えば、連結されたおよび／または連結されていないマイクロフォンおよび／または受話器が、該無線端末の適当なジャック／インタフェースに挿入されていること、および／または該無線端末に無線で操作可能に接続されていることを検知すること、該無線端末が、クレードル内に配置されていることを検知すること、有線および／または無線ローカルエリアネットワーク（および／またはパーソナルエリアネットワーク）接続が該無線端末に対して形成されており、該無線端末とのハンズフリーインタフェースが使用可能になっていることを検知すること、および／またはハンズフリーインタフェースの使用を検知する他の技術を用いることにより、検知することができる。
【００４０】
ブロック３２０において、ハンズフリー動作が検知された場合には、ブロック３３０において、衛星モードに入り、無線端末１２０は、適切な高電力および／またはＥＩＲＰレベルで、および／または最大高電力および／またはＥＩＲＰレベルで、および／または適切に高い（またはより高い）データレートで、衛星１１０へ送信することにより、衛星１１０と通信することが可能になる。別法として、ブロック３２０において、ハンズフリー動作が検知されない場合には、ブロック３４０において、ユーザ通知を生成してもよい。このユーザ通知は、音声信号、（振動信号等の）該無線端末と接触している、人体の一部によって感知することができる信号、および／または視覚表示信号、および／または人間以外の知覚増進を伴ってまたは伴わずに、人によって感知することができる他の何らかの通知の形態とすることができる。様々な他の目的のためのユーザ通知は、当業者にはよく知られているため、ブロック３４０のユーザ通知のデザインは、本明細書において詳細に説明する必要はない。ユーザ通知の後、ブロック３２０において再び、ハンズフリー動作が存在するか否かに関してテストが行われる。別法として、ブロック３２０におけるテストは、再び行わなくてもよく、単にブロック３１０における衛星モード要求を拒否してもよい。また別の実施形態においては、ブロック３４０のユーザ通知は実行しなくてもよく、単に、ブロック３１０における衛星モード要求を拒否してもよい。さらに他の実施形態においては、衛星通信は、該無線端末により、および／または該無線端末がハンズフリーモードで作動していなくても、所定時間、衛星モード要求に従うシステムにより、実行することができる。該所定時間中、該ユーザには、少なくとも一度、該無線端末によって、ハンズフリーモードを使用可能にするように通知することができる。該無線端末が、該所定時間中に、ハンズフリーモードになっている場合には、衛星通信を中断することなく続行することができる。該無線端末が、該所定時間中に、ハンズフリーモードになっていない場合には、衛星通信を中断してもよい。
【００４１】
図４は、図１および図２の無線端末１２０等の無線端末の一部、および図１のＡＴＣ１３０等のＡＴＣの一部のブロック図である。図４について説明すると、無線端末１２０は、少なくともいくつかの衛星およびＡＴＣ機能性に統合することができ、また、図２のトランシーバ１２４および衛星／ハンズフリーインタロック１２６に対応することができる衛星／ＡＴＣ無線端末トランシーバ４１０を含んでもよい。送信／受信（ＴＸ／ＲＸ）セレクタ４１８は、電力増幅器４１４または低雑音増幅器４１２を、図２のアンテナ１２２に相当するアンテナ４２２に結合する。それに伴って、無線端末１２０は、単一の電力増幅器４１４および／または衛星１１０を含む宇宙セグメントとの通信のために所定の寸法に形成されている単一のアンテナ４２２を含んでもよい。従って、該無線端末の電力増幅器出力レベルは、該無線端末がＡＴＣ１３０と通信している場合、最大値以下に制限することができる。例えば、電力増幅器４１４は、（ｃｄｍａ２０００地上システム等の）ＣＤＭＡベースの地上システムと通信している場合、約２００〜２５０ｍＷの最大電力を送信するように、およびＧＳＭベースの地上システムと通信している場合、約６００ｍＷ〜約１Ｗ（ただし、１ｍＷ＝１０-3Ｗ）の最大電力を送信するように制限することができる。衛星モードにおいて、電力増幅器４１４は、１Ｗ以上の最大電力を衛星１１０へ送信するように構成することができる。いくつかの実施形態においては、電力増幅器４１４は、制御信号４１６が作用している場合を除いて、宇宙ベースのネットワーク通信のために高電力を出力しないように構成されている。制御信号４１６は、衛星／ＡＴＣ無線端末トランシーバ４１０が、例えば、連結されたマイクロフォン４２６および連結された受話器４２８を無線端末１２０に結合するために、連結部４２４が無線端末１２０に接続されていることを検知することにより、ハンズフリー動作を検知する場合を除いて、作用させなくてもよい。
【００４２】
図４の説明を続けると、ＡＴＣ１３０において、電力増幅器４３８は、送信アンテナ４４４をＡＴＣトランシーバ４３２に結合し、低雑音増幅器４３４は、受信アンテナ４４２をＡＴＣトランシーバ４３２に結合する。該ＡＴＣの該受信器感度を向上させるために、低雑音増幅器４３４および／またはＡＴＣ１３０の他の構成要素等の該受信器のフロントエンド部は、低温冷却されたカプセル４３６内にそれらの構成要素を封入することにより、低温冷却してもよい。低温冷却された増幅器および／または他のコンポーネントのデザインは、当業者には公知であり、本明細書でこれ以上説明する必要はない。低温冷却は、所定の無線端末のＥＩＲＰおよび該ＡＴＣ受信器アンテナ４４２の所定の構成の場合に、該ＡＴＣによって与えられる使用可能なリターンリンクマージンを増加させることができる。該使用可能なリターンリンクの増加は、該ＡＴＣにより、無線端末の電力および／またはＥＩＲＰを低減するのに用いることができ、これにより、自局内および／またはシステム間の干渉の可能性を低減することができ、また、該無線端末のバッテリー寿命を延ばすことができ、および／またはＡＴＣ１３０のサービス領域の半径を拡げることができる。
【００４３】
また、低温冷却は、宇宙ベースのネットワークの衛星１１０に設けてもよい。衛星１１０のトランシーバの構造は、衛星の受信アンテナを衛星のトランシーバに結合する低雑音増幅器を有するＡＴＣ１３０に関して上述した構造と同様であってもよい。該衛星の受信器感度を向上させるために、該衛星の低雑音増幅器および／または衛星１１０の他の構成要素等の該衛星受信器のフロントエンド部は、衛星１１０における低温冷却されたカプセル内にそれらの構成要素を封入することにより、低温冷却してもよい。低温冷却された増幅器および／または他の構成要素のデザインは、当業者には公知であり、本願明細書でこれ以上説明する必要はない。低温冷却は、所定の無線端末のＥＩＲＰおよび該衛星の受信器アンテナの所定の構成の場合に、該衛星によって与えられる使用可能なリターンリンクマージンを増加させることができる。該使用可能なリターンリンクマージンの増加は、該衛星により、無線端末の電力および／またはＥＩＲＰを低減するのに用いることができ、これにより、自局内および／またはシステム間の干渉の可能性を低減することができ、また、該無線端末のバッテリー寿命を延ばすことができる。
【００４４】
図５ａは、本発明のさらに追加的な実施形態による無線端末を示すブロック図である。図５ａの無線端末は、プロセッサ５１０と、無線インタフェース５１２と、アクセサリジャック５１４と、コンパニオンデバイスジャック／インタフェース５１６と、スピーカ５１８と、マイクロフォン５２０と、トランシーバ５２１と、アンテナ５２４とを含むことができる。より具体的には、トランシーバ５２１は、送信／受信（ＴＸ／ＲＸ）セレクタ５２２と、受信用低雑音増幅器５２４と、送信用電力増幅器５２６とを含むことができる。また、アクセサリジャック５１４は、（図４に示された連結部４２４、マイクロフォン４２６および受話器４２８等の）連結マイクロフォンおよび連結受話器に接続された連結部のための着脱可能な有線結合部を備えていてもよい。加えて、または別法として、（ブルートゥース、ＷｉＦｉ、または他の無線インタフェース等の）無線インタフェース５１２は、例えば、無線ローカルエリアネットワーク、および／またはブルートゥース、ＷｉＦｉおよび／または他のネットワーク通信技術等のパーソナルエリアネットワークを用いる、リモートマイクロフォンおよび受話器を有する無線カップリングを備えていてもよい。それに応じて、音声通信は、内蔵型スピーカ５１８およびマイクロフォン５２０を用いた携帯モード、または、例えば、（アクセサリジャック５１４または無線インタフェース５１２の何れかを介して）リモートマイクロフォンおよび受話器を用いた、スピーカフォン用インタフェースを用いた、クレードルを用いた、および／または他の何らかのハンズフリーインタフェースを用いたハンズフリーモードで、実行することができる。
【００４５】
図５ｂに関して以下に詳細に論じるさらなる別の代替例においては、音声通信は、内蔵型スピーカ５１８およびマイクロフォン５２０を用い、かつコンパニオンデバイスのトランシーバおよびアンテナを用いた携帯モードで実行することができ、該コンパニオンデバイスは、前記無線端末から距離を置いて作動してもよく、無線インタフェース５１２を介して結合または有線コンパニオンデバイスのジャック／インタフェース５１６を介して結合してもよい。それに応じて、携帯音声通信は、ユーザの頭部から離れたコンパニオンデバイスの増幅器および／またはアンテナを用いて実行される比較的高電力の送信によって無線端末１２０’によって実行することができる。従って、プロセッサ５１０のインターロック機能は、該無線端末が、ハンズフリーモードで（すなわち、リモート連結マイクロフォン／受話器を用いて、リモート無線マイクロフォン／受話器を用いて、動作のスピーカフォンモードを用いて、クレードルを用いて、および／または従来の他の何らかの連結されたまたは連結されていないハンズフリーインタフェースを用いて）作動している場合を除いて、トランシーバ５２１およびアンテナ５２４を用いて（衛星１１０へのリターンリンクを通じた送信等の）閾値電力レベル以上の送信をブロックすることができる。加えて、または別法として、プロセッサ５１０のインターロック機能は、該無線端末のアンテナ５２４および／または該アンテナの１つ以上の放射素子が、該無線端末に対してある方向に、すなわち、ユーザが、該無線端末を（該ユーザの頭部近くで）従来の携帯モードで使用している場合、該無線端末および／または該ユーザの頭部からある距離を置いて永続的または選択的に配置／構成されているならば、コンパニオンデバイスの増幅器および／またはアンテナ、および／または該無線端末のアンテナ５２４および増幅器５２６等の該無線端末のアンテナおよび増幅器を用いて実行される（衛星１１０へのリターンリンクを通じた送信等の）閾値以上の送信によって、内蔵型スピーカ５１８およびマイクロフォン５２０を用いた携帯モードでの音声通信を可能にすることができる。
【００４６】
図５ｂは、本発明の実施形態によるコンパニオンデバイス６００を示すブロック図である。図５ｂの該コンパニオンデバイスは、トランシーバ６１２と、アンテナ６１４と、無線端末カップリング６１６とを含むことができる。より具体的には、トランシーバ６１２は、送信／受信（ＴＸ／ＲＸ）セレクタ６２２と、受信用低雑音増幅器６２４と、送信用電力増幅器６２６とを含むことができる。また、無線端末カップリング６１６は、無線端末１２０’との有線および／または無線カップリングを備えていてもよい。無線端末カップリング６１６は、例えば、無線端末１２０’のコンパニオンデバイスジャック５１６との有線カップリングおよび／または無線端末１２０’の無線インタフェース５１２、プロセッサ５１０および／またはトランシーバ５２１との無線カップリングを備えていてもよい。コンパニオンデバイス６００は、電力増幅器６２６、低雑音増幅器６２４および送信／受信スイッチ６２２を用いて、送信および受信の両機能性を実行することができる。トランシーバ６１２および／またはコンパニオンデバイス６００の他の構成要素は、アンテナ６１４および／または無線端末カップリング６１６から送信するおよび／または受信した信号を処理するのに必要とされる可能性がある（図５ｂには示していない、変調、復調、誤り訂正符号化／復号化、インターリービング、フレームフォーマット化、データ再生成および／またはフィルタリング機能等の）他の従来の送信／受信機能を含んでもよい。コンパニオンデバイス６００および無線端末１２０’はさらに、コンパニオンデバイス６００および無線端末１２０’が１つのデバイスのように見えるように、コンパニオンデバイス６００を無線端末１２０’に選択的に取付けることができるように、およびコンパニオンデバイス６００および無線端末１２０’が２つの別々のデバイスに見えるように、該コンパニオンデバイスを無線端末６００から選択的に取り外せるように構成してもよい。コンパニオンデバイス６００および無線端末１２０’はさらに、取付けおよび／または取外し形態で、作動可能に機能的になるように構成してもよい。いくつかの実施形態においては、コンパニオンデバイス６００は、低雑音（受信）増幅器６２４および送信／受信スイッチ６２２をコンパニオンデバイス６００から省くことができるように、受信機能性を設けることなく、送信機能性を設けるように構成してもよい。例えば、比較的高電力の送信は、コンパニオンデバイス６００のアンテナ６１４を用いて実行することができ、一方、受信は、無線端末１２０’の内蔵型アンテナ５２４およびトランシーバ５２１を用いて実行される。
【００４７】
それに応じて、無線端末１２０’は、図１〜図４に関して上述したような機能性を備えていてもよい。より具体的には、プロセッサ５１０のインターロック動作は、該無線端末が、内蔵型スピーカ５１８およびマイクロフォン５２０を用いて携帯モードで音声通信を実行している場合に、内蔵型トランシーバ５２１を用いて（衛星１１０へのリターンリンクを通じた送信等の）閾値電力レベル以上の送信をブロックすることができる。従って、プロセッサ５１０のインターロック動作は、該無線端末が、例えば、連結されたリモートマイクロフォンおよび受話器を用いて、無線リモートマイクロフォンおよび受話器を用いて、スピーカフォンインタフェースを用いて、クレードルを用いて、および／または他の何らかのハンズフリーインタフェースを用いて、ハンズフリーモードで音声通信を実行している場合に、内蔵型トランシーバ５２１を用いて、該閾値電力レベル以上の送信を可能にしてもよい。該しきい電力レベルは、衛星および地上通信用の無線電話の送信電力レベルに基づいて、または、該無線電話が携帯モードで使用されるときの、ユーザの頭部付近での送信に適していると思われる最大レベルの電力に基づいて、固定してもよい。代替例においては、衛星および／または地上の電力制御レベルの変動、ユーザが電話している時間の長さの変化、および／または他の要因の変動により、しきい電力レベルは可変であってもよい。
【００４８】
また、プロセッサ５１０のインターロック動作は、コンパニオンデバイス６００が、例えば、無線インタフェース５１２を用いて、または、有線コンパニオンデバイスジャック／インタフェース５１６を用いて、無線端末１２０’に結合されている場合、前記しきい電力レベル以上の送信によって、内蔵型スピーカ５１８およびマイクロフォン５２０を用いた携帯モードで音声通信を可能にしてもよい。それに伴って、しきい電力レベル以上の送信は、該ユーザの頭部からある程度離れたコンパニオンデバイス６００の電力増幅器６２６およびアンテナ６１４を用いて実行することができる。コンパニオンデバイス６００は、例えば、ユーザのポケット、バッグ、ハンドバッグ等の中で持ち運べるように構成された携帯可能なデバイスであってもよい。別の代替例においては、該コンパニオンデバイスは、該無線端末が自動車内で使用され（かつ可能な限りシールドされ）ている場合、改善された通信リンクを形成するために、該自動車内に組み込んでもよい。
【００４９】
本発明のいくつかの実施形態によれば、コンパニオンデバイス６００の電力増幅器６２６および／またはアンテナ６１４は、無線端末１２０’の電力増幅器５２６およびアンテナ５２４より高い利得を備えていてもよい。一例として、無線電話１２０’のアンテナ５２４は、約−２ｄＢｉの利得を備えていてもよく、また、コンパニオンデバイス６００のアンテナ６１４は、内蔵型アンテナ５２４を用いて送信するのと比較して、コンパニオンデバイス６００を用いて送信する場合に、４ｄＢの利得の増加を実現できるように、約＋２ｄＢｉの利得を備えていてもよい。さらに、該コンパニオンデバイスのアンテナ６１４は、実質的に円偏光した（Ｃｉｒｃｕｌａｒｌｙ  Ｐｏｌａｒｉｚｅｄ；ＣＰ）アンテナであってもよく、また、無線端末のアンテナ５２４は、実質的に直線偏光した（Ｌｉｎｅａｒｌｙ  Ｐｏｌａｒｉｚｅｄ；ＬＰ）アンテナであってもよい。加えて、または別法として、無線端末１２０’の電力増幅器５２６は、１／４Ｗの増幅器であってもよく、コンパニオンデバイス６００の電力増幅器６２６は、コンパニオンデバイス６００を使用して送信する場合に、４ｄＢの利得の増加を実現できるように、１Ｗの増幅器であってもよい。上述した該アンテナおよび該電力増幅器の両方を用いて、内蔵電力増幅器５２６およびアンテナ５２４を用いた場合と比較して、例えば、８ｄＢの利得の増加を、該コンパニオンデバイスを送信に用いた場合に実現することができる。一般的に、（無線端末１２０’と比較して）より高い送信電力および／またはより高いアンテナ利得は、コンパニオンデバイス６００はサイズ制限がほとんどないため、コンパニオンデバイス６００は電力制限がほとんどないため、および／またはコンパニオンデバイス６００は、ユーザの頭部付近での使用が意図されていないため、コンパニオンデバイス６００によって実現することができる。
【００５０】
本発明の他の実施形態によれば、無線端末１２０’の電力増幅器５２６は、（ＡＴＣ１３０への送信等の）閾値以下での比較的低電力の送信のための低電力モード／電力増幅器と、（衛星１１０への送信等の）閾値以上での比較的高電力の送信のための高電力モード／電力増幅器とを含んでもよい。また、プロセッサ５１０のインターロック動作は、無線端末１２０’のアンテナ５２４が、実質的に所定の第２の方向に選択的に配置されており、かつ実質的に、所定の第１の方向に、または、他のいずれかの方向／位置に配置されていない、および／または該無線端末が、プッシュ・トゥ・センド（プッシュ・トゥ・トーク）モードで使用されている場合を除いて、内蔵型スピーカ５１８およびマイクロフォン５２０を用いて携帯モードで作動している場合に、高電力モード／電力増幅器を不能状態にするように構成してもよい。いくつかの実施形態によれば、該無線端末のアンテナ５２４は、アンテナ５２４が、最低限の（低）プロファイルを維持するように、無線端末１２０’に最大限に押し込まれおよび／または挿入されている第１の所定方向に選択的に配置してもよく、所定の第２の選択方向は、最大の（高）プロファイルを維持するように、アンテナ５２４が、無線端末１２０’から最大限に引き出されている方向である。該無線端末のアンテナ５２４は、該無線端末のアンテナ５２４が所定の第２の方向に位置しており、かつ該ユーザが、頭部／耳の隣で／に隣接して無線端末１２０’を使用している場合に、放射素子（または複数の放射素子）とユーザの頭部との間で所定の最小限の距離を保つように、該１つの放射素子（または複数の放射素子）を、該アンテナの実質的に上方部／上方部分に配置した状態で構成してもよい。該無線端末のアンテナ５２４の該放射素子（または複数の放射素子）は、実質的にＣＰの放射素子（または複数の放射素子）および／または実質的にＬＰの放射素子（または複数の放射素子）を含んでもよい。プロセッサ５１０のインターロック動作は、無線端末１２０’のアンテナ５２４が、実質的に前記所定の第２の方向に選択的に位置しており、かつ実質的に所定の第１の方向に、または、他のいずれかの方向／位置に配置されていないモードで、無線端末１２０’が作動している場合、および／または該無線端末が、プッシュ・トゥ・センド（プッシュ・トゥ・トーク）モードで、および／または、例えば、連結されたまたは連結されていない受信器およびマイクロフォンを用いて、スピーカフォンモードを用いて、クレードルを用いて、および／または他の何らかのハンズフリーインタフェースを用いて、ハンズフリーモードで使用されている場合に、無線端末１２０’の増幅器５２６の高電力モード／電力増幅器を使用可能にするように構成してもよい。それに応じて、無線端末１２０’が非プッシュ・トゥ・センド（非プッシュ・トゥ・トーク）携帯モードで使用されており、かつ無線端末アンテナ５２４が、実質的に前記第１の所定方向に選択的に配置されている場合に、増幅器５２６の低電力モード／電力増幅器を用いた（閾値以下の）比較的低電力の送信を実行することができ、あるいは、無線端末１２０’が非プッシュ・トゥ・センド（非プッシュ・トゥ・トーク）携帯モードで使用されており、また、無線端末アンテナ５２４が、方向の選択性を実現できるように構成されておらず、かつ上述した第１の所定の選択方向と同じかまたは実質的に同じである１つの方向で永続的に構成されているタイプのものである場合に、増幅器５２６の低電力モード／電力増幅器を用いた（閾値以下の）比較的低電力の送信を実現することができる。いくつかの実施形態においては、無線端末の増幅器５２６は、例えば、ＡＴＣ１３０との通信等の低電力通信に対してのみ使用することができる低電力モード等の１つの電力モードのみを実行できるように構成されている増幅器である。対照的に、無線端末増幅器５２６の高電力モード／電力増幅器を用いた（閾値以上の）比較的高電力の送信は、プッシュ・トゥ・センド（または、プッシュ・トゥ・トーク）モードで作動している場合および／または無線端末アンテナ５２４が、前記第２の所定方向に選択的に配置されている場合（または、無線端末アンテナ５２４が、該第２の所定方向と同じかまたは実質的に同じである方向に永続的に位置するように構成されているタイプのものである場合）および／または該無線端末がハンズフリーモードで作動している場合にのみ、許可することができる。より具体的には、無線端末増幅器５２６の高電力モード／電力増幅器を用いた（閾値以上の）比較的高電力の送信は、該無線端末が、非スピーカフォン使用可能携帯モードで作動している場合、および／または無線端末アンテナ５２４が、該第１の所定方向に選択的に配置されている場合（または、無線端末アンテナ５２４が、該第１の所定方向と同じかまたは実質的に同じである方向に永続的に位置するように構成されているタイプのものである場合）に、ブロックすることができる。
【００５１】
従って、ユーザが、耳元で無線端末１２０’を保持しているときに、内蔵トランシーバ５２１およびアンテナ５２４を用いて、（例えば、衛星１１０を介して通信しているときに）閾値を超える送信電力で通信する可能性を実質的に低減するかまたはなくすために、無線端末１２０’は、比較的高電力の送信モードを用いようとする場合に、無線端末１２０’でハンズフリーモードが起動されているか、または、無線端末１２０’がスピーカフォンモード（すなわち、プッシュ・トゥ・センドまたはプッシュ・トゥ・トークモードあるいは他のいずれかのスピーカフォンモード）で使用されているおよび／または無線端末アンテナ５２４が、前記第２の所定方向に選択的に配置されている（または、無線端末アンテナ５２４が、該第２の所定方向と同じかまたは実質的に同じである方向に永続的に位置するように構成されているタイプのものである）場合を除いて、該内蔵トランシーバが、所定の高電力閾値以上の電力および／またはＥＩＲＰを実質的に送信できないようにされるように、構成することができる。それに伴って、比較的高電力の送信モードは、ハンズフリーモードが起動され、無線端末１２０’がスピーカフォンモード（すなわち、プッシュ・トゥ・センドまたはプッシュ・トゥ・トークモードあるいは他のいずれかのスピーカフォンモード）で使用されており、無線端末アンテナ５２４が、該第２の所定方向に選択的に配置されており（または、無線端末アンテナ５２４が、該第２の所定方向と同じかまたは実質的に同じである方向に永続的に位置するように構成されているタイプのものである）場合に、および／または送信が無線端末１２０’から離れ、かつユーザの頭部から離れるように、コンパニオンデバイス６００が無線端末１２０’に結合されている場合に、用いることができる。例えば、ハンズフリーモードの起動、該無線端末アンテナの所定の選択位置／方向（または、該無線端末アンテナの特定の永続的位置／方向）、コンパニオンデバイス６００のスピーカフォンモードおよび／または使用は、例えば、衛星１１０へのリターンリンク等のリターンリンクを通じて（閾値以上の）比較的高電力の送信を実行するのに必要となる可能性がある。
【００５２】
本発明のいくつかの実施形態によれば、携帯型インタフェースという用語は、通信中に、前記無線端末の前記内蔵スピーカ（および該無線端末）が、ユーザの頭部／耳の隣に／近接して配置されている状態で、音声出力が該無線端末の内蔵スピーカから供給される耳に近接したインタフェースを指し、また、ハンズフリーインタフェースという用語は、通信中に、該無線端末が、該ユーザの頭部／耳から離れることができるようになっている何らかの耳から離れたインタフェースを指す。例えば、携帯型および／または耳に近接したインタフェースは、内蔵スピーカおよび無線電話を、ユーザの頭部／耳に隣接して／近接して配置した状態で、（受信した無線通信に応じて）音声出力を適切な音量でユーザに与える該無線電話内の該内蔵スピーカによって提供することができる。ハンズフリーおよび／または耳から離れたインタフェースは、例えば、無線通信中に、該ユーザの頭部／耳から離れての該無線端末の使用を可能にする何らかのインタフェースとすることができる。例えば、ハンズフリーおよび／または耳から離れたインタフェースは、スピーカフォンインタフェースおよび／またはリモート（連結されたおよび／または連結されていない）受話器のためのインタフェースを含んでもよく、その結果、通信中に、該無線電話を該ユーザの頭部／耳に隣接して／近接して設けることなく、（受信した無線通信に応じた）音声出力を生成することができる。より具体的には、スピーカフォンインタフェースは、該内蔵スピーカおよび該ユーザの頭部／耳から離れている無線電話を用いた使用に対して、（受信した無線通信に応じた）音声出力を適切な音量で生成するように構成された該無線電話内に該内蔵スピーカを含んでもよく、また、同じ内蔵スピーカを、それが駆動される音量により、携帯型／耳に近接したおよびハンズフリー／耳から離れたインタフェースに用いてもよく、または、異なる内蔵スピーカを、携帯型／耳に近接したおよびハンズフリー／耳から離れたインタフェースに用いてもよい。また、スピーカフォンインタフェースは、該無線端末を受信するように、かつ該無線端末をリモートラウドスピーカに結合するように構成されたクレードルと、該無線端末をリモートラウドスピーカに結合するように構成された無線インタフェースと、および／または、例えば、プッシュ・トゥ・トーク動作、プッシュ・トゥ・トランスミット動作および／またはウォーキートーキー動作中の、該内蔵スピーカおよび該ユーザの頭部／耳から離れている無線端末を用いた使用に対して、（受信した無線通信に応じた）音声出力を適切な音量で生成するように構成された（該無線端末内の）内蔵スピーカとを含んでもよい。また、ハンズフリーおよび／または耳から離れたインタフェースは、ユーザの頭部／耳から離れている該無線端末を用いて見られるグラフィック出力を生成する（ディスプレイスクリーン等の）データインタフェースを含んでもよい。
【００５３】
当業者は、プロセッサ５１０が、１つ以上のマイクロプロセッサおよび／またはディジタル信号プロセッサを含むデータプロセッサであってもよいことを理解するであろう。さらに、無線端末１２０’が、具体的に図示したコンポーネントに加えて、無線周波コンポーネント、マンマシンインタフェースコンポーネントおよび／または他の従来のコンポーネントを含んでもよいことも理解されるであろう。衛星／ハンズフリー／コンパニオンデバイスのインターロック動作は、マンマシンインタフェースコンポーネント、他のインタフェースコンポーネント、無線端末１２０’によって送信された信号、および／または無線端末１２０’によって受信された信号に応答して作動するプロセッサ５１０上で実行する格納されたプログラムによって少なくとも部分的に実行することができる。ソフトウェアおよび／または他のハードウェアの組合せも、衛星／ハンズフリー／コンパニオンデバイスのインターロック動作を実施するのに用いることができる。
【００５４】
図６は、本発明の様々な実施形態による、図５ａおよび図５ｂのコンパニオンデバイス６００と共に使用される無線端末１２０’のための衛星／ハンズフリーインタロックを可能にするために実行することができる動作を示すフローチャートである。図６について説明すると、ブロック６５１において、衛星１１０への送信等の高電力送信に対する要求があるか否かの判断を実行することができる。高電力送信は、しきい電力および／またはＥＩＲＰレベル以上の送信を指す。例えば、衛星１１０へのリターンリンクを通じた送信は、該閾値電力および／またはＥＩＲＰレベル、または該しきい電力および／またはＥＩＲＰ以上であってもよく、また、ＡＴＣ１３０へのリターンリンクを通じた送信は、該閾値電力および／またはＥＩＲＰレベル、または該閾値電力および／またはＥＩＲＰレベル以下であってもよい。該閾値電力および／またはＥＩＲＰレベルは、ＳＡＲ閾値電力および／またはＥＩＲＰレベルであってもよい。いくつかの実施形態によれば、衛星への送信に対する何らかの要求は、高電力および／または高ＥＩＲＰ送信に対する要求であってもよく、また、ＡＴＣへの送信に対する何らかの要求は、低電力および／または低ＥＩＲＰ送信に対する要求であってもよい。他の実施形態によれば、比較的遠いＡＴＣへの送信に対する要求は、高電力および／または高ＥＩＲＰ送信に対する要求であってもよい。高電力および／または高ＥＩＲＰ送信の要求は、該衛星モードを使用するユーザ無線端末要求、該衛星モードを使用するシステム要求、該ユーザ無線端末をＡＴＣモードおよび／またはセルラ／ＰＣＳモードから衛星モードへ引き渡すシステム要求、（例えば、該無線端末が、ＡＴＣから十分に離れて移動する場合に）ＡＴＣおよび／またはセルラ／ＰＣＳ基地局への送信電力を増加させるシステム要求、および／または比較的遠いＡＴＣおよび／またはセルラ／ＰＣＳ基地局を用いた通信を確立するシステムおよび／またはユーザ無線端末要求に基づいてもよい。
【００５５】
ブロック６５１において、高電力および／または高ＥＩＲＰの送信モードが要求されている場合、ブロック６５３において、コンパニオンデバイスの送信器動作を実行するのに、コンパニオンデバイスが使用可能か否かに関してテストを実行することができる。コンパニオンデバイスの使用可能性は、（例えば、無線インタフェース５１２および／またはコンパニオンデバイスのジャック／インタフェース５１６を用いて）該コンパニオンデバイスとの通信リンクを確立することを試みることによって、検知することができる。
【００５６】
ブロック６５３において、コンパニオンデバイスが使用可能な場合には、ブロック６５７において、高電力および／または高ＥＩＲＰ送信モードに入ることができ、該無線端末は、コンパニオンデバイスの電力増幅器および／またはアンテナを用いて、比較的高電力のおよび／または高ＥＩＲＰの送信で通信することができる。より具体的には、ブロック６５７において、該コンパニオンデバイスを介した衛星１１０との通信の場合に、高電力および／または高ＥＩＲＰの送信モードに入ることができる。代替例においては、ブロック６５７において、該コンパニオンデバイスを介した比較的遠くのＡＴＣおよび／またはセルラ／ＰＣＳ基地局との通信の場合に、該高電力および／または高ＥＩＲＰ送信モードに入ることができる。
【００５７】
別法として、ブロック６５３において、コンパニオンデバイスが検知されない場合、ブロック６５５において、ユーザ通知を生成してもよい。このユーザ通知は、（例えば、スピーカ５１８を利用する）音声信号および／または（例えば、ディスプレイ５２７を用いる）視覚信号、および／または人間以外の感覚の増強を伴ってまたは伴わずに、人間によって認知できる他の何らかの種類の通知を用いた形態とすることができる。他の様々な目的のためのユーザ通知は、当業者には公知であるため、ブロック６５５のユーザ通知のデザインは、本願明細書で詳細に説明する必要はない。
【００５８】
ユーザ通知の後、ブロック６５３において、コンパニオンデバイスが使用可能であるか否かに関して、再びテストを実行することができる。そして、前記無線端末のユーザは、コンパニオンデバイスが使用可能であるか否かを判断するブロック６５３における後のテストの前に、ある期間、アクティブなコンパニオンデバイスと結合することを実現できるようにすることができる。コンパニオンデバイスが使用可能になっている場合には、ブロック６５７において、該無線端末が、該コンパニオンデバイスの電力増幅器および／またはアンテナを用いて、比較的高電力のおよび／または高ＥＩＲＰの通信で通信できるように、高電力および／または高ＥＩＲＰの送信モードに入ることができる。該コンパニオンデバイスが、該許可された期間中に使用可能になっていない場合には、高電力および／または高ＥＩＲＰ送信に対する要求は、拒否することができる。
【００５９】
別法として、ブロック６５３におけるテストは、一度だけ実行してもよく、また、高電力および／または高ＥＩＲＰ送信に対する要求は、コンパニオンデバイスがすぐに使用可能でない場合には、単に拒否してもよい。また別の実施形態においては、ブロック６５５のユーザ通知は実行しなくてもよく、また、高電力および／または高ＥＩＲＰ送信に対する要求は、拒否してもよい。さらに別の実施形態においては、高電力および／または高ＥＩＲＰ送信は、コンパニオンデバイスがすぐに使用可能でない場合には、高電力および／または高ＥＩＲＰ送信に対する要求の後に、所定期間、無線端末トランシーバ５２１によって実行してもよい。所定の時間間隔の間に、ユーザには、コンパニオンデバイスとの結合を提供するために、および／または無線端末アンテナ５２４の所定の位置／方向を提供するために、該無線端末により少なくとも一度、知らせることができる。コンパニオンデバイスおよび／または該無線端末アンテナの所定位置／方向が、該所定時間間隔内に提供された場合、高電力および／または高ＥＩＲＰ送信を中断せずに続行してもよい。コンパニオンデバイスおよび／または該無線端末アンテナの所定位置／方向が、該所定時間間隔内に提供されない場合には、高電力および／または高ＥＩＲＰ送信を中断および／または終了してもよい。
【００６０】
図７は、本発明の様々な追加的実施形態による、図５ａおよび図５ｂのコンパニオンデバイス６００と共に使用される無線端末１２０’に対して、衛星／ハンズフリーインタロックを実現するために実行することができる動作を示すフローチャートである。図７について説明すると、ブロック７５１において、衛星１１０への送信に対する要求等の高電力および／または高ＥＩＲＰ送信に対する要求があるか否かの判断を実行することができる。高電力および／または高ＥＩＲＰ送信は、閾値以上の電力および／またはＥＩＲＰレベル以上の送信を指す。例えば、衛星１１０へのリターンリンクを通じた送信は、しきい電力および／またはＥＩＲＰレベル以上とすることができ、また、ＡＴＣ１３０へのリターンリンクを通じた送信は、しきい電力および／またはＥＩＲＰレベル以下とすることができる。いくつかの実施形態によれば、衛星への送信に対する要求は、高電力および／または高ＥＩＲＰ送信に対する要求であってもよく、また、ＡＴＣおよび／またはセルラＰＣＳ基地局への送信に対する要求は、低電力および／または低ＥＩＲＰ送信に対する要求であってもよい。他の実施形態によれば、比較的遠くのＡＴＣおよび／またはセルラＰＣＳ基地局への送信に対する要求は、高電力および／または高ＥＩＲＰ送信に対する要求であってもよい。高電力および／または高ＥＩＲＰの送信要求は、衛星モードを使用するユーザ無線端末要求、衛星モードを使用するシステム要求、該ユーザ無線端末をＡＴＣモードおよび／またはセルラＰＣＳモードから衛星モードへ送り渡すシステム要求、（例えば、該無線端末が該ＡＴＣから十分遠くへ移動した場合の）ＡＴＣへの送信電力を増加させるシステム要求、および／または比較的遠くのＡＴＣおよび／またはセルラＰＣＳ基地局を用いて通信を確立するシステムおよび／またはユーザ無線端末要求に基づいてもよい。
【００６１】
ブロック７５１において、高電力および／または高ＥＩＲＰ送信モードが要求された場合には、ブロック７５３において、前記無線端末のハンズフリー動作がアクティブか否かに関してテストを実行することができる。ハンズフリー動作は、ブロック７５３において、例えば、連結されたマイクロフォンおよび受話器が、該無線端末の適切なジャック／インタフェースに挿入されていることを検知することにより、有線および／または無線ローカルエリアネットワーク（および／またはパーソナルエリアネットワーク）接続が形成されていることを検知することにより、および／またはハンズフリーインタフェースの使用を検知する他の方法を用いて、検知することができる。ブロック７５３において、ハンズフリー動作が検知された場合には、ブロック７５９において、該無線端末の内蔵トランシーバおよびアンテナを用いて、高電力および／または高ＥＩＲＰ送信を実行する状態で、高電力および／または高ＥＩＲＰ送信モードに入ることができる。
【００６２】
ブロック７５３において、ハンズフリー動作が検知されない場合には、ブロック７５５において、コンパニオンデバイスの送信動作を実行するのに、コンパニオンデバイスが使用可能であるか否かに関してテストを実行することができる。コンパニオンデバイスの使用可能性は、（例えば、無線インタフェース５１２および／またはコンパニオンデバイスのジャック／インタフェース５１６を用いて）該コンパニオンデバイスとの通信リンクを確立することを試みることによって検知することができる。
【００６３】
ブロック７５５において、コンパニオンデバイスが使用可能である場合には、ブロック７５９において、前記無線端末が、該コンパニオンデバイスの電力増幅器および／またはアンテナを用いて、比較的高電力のおよび／または高ＥＩＲＰの送信で通信できるように、高電力および／または高ＥＩＲＰ送信モードに入ることができる。より具体的には、ブロック７５９において、例えば、該コンパニオンデバイスを介した衛星１１０との通信のために、該高電力および／または高ＥＩＲＰ送信モードに入ることができる。代替例においては、ブロック７５９において、該コンパニオンデバイスを介した比較的遠くのＡＴＣおよび／またはセルラ／ＰＣＳ基地局との通信の場合に、該高電力および／または高ＥＩＲＰ送信モードに入ることができる。
【００６４】
別法として、ブロック７５３において、ハンズフリー動作が検知されず、かつブロック７５５において、コンパニオンデバイスが検知されない場合には、ブロック７５７において、ユーザ通知を生成することができる。該ユーザ通知は、ブロック７５７において、ブロック７５３においてハンズフリー動作を検知しないことに応答して、およびブロック７５５において、コンパニオンデバイスを検知することを試みる前に（あるいは、ブロック７５５において、コンパニオンデバイスを検知することを試みるのと同時に）、生成してもよい。このユーザ通知は、（例えば、スピーカ５１８および／または音声信号を生成することができる他の何らかの無線端末コンポーネントを用いる）音声信号の、および／または（例えば、ディスプレイ５２７を用いる）視覚信号の、および／または人間以外の感覚の増強を伴ってまたは伴うことなく、人によって認知できる他の何らかの種類の通知を用いた、形態とすることができる。他の様々な目的のためのユーザ通知は、当業者には公知であるため、ブロック７５７のユーザ通知のデザインは、本明細書で詳細に説明する必要はない。
【００６５】
ユーザ通知および遅延の後、ブロック７５３および７５５において、ハンズフリー動作および／またはコンパニオンデバイスが検知されたか否かに関して、再びテストを実行することができる。それに伴って、前記無線端末のユーザは、ブロック７５３および／またはブロック７５５において、ハンズフリー動作および／またはコンパニオンデバイスが検知されたか否かに関して判断する後のテストが実行される前に、ある期間、ハンズフリー動作を実行できるように、および／またはコンパニオンデバイスを提供できるようにすることができる。ハンズフリー動作および／またはコンパニオンデバイスが利用可能になっている場合、ブロック６５９において、該無線端末が、ハンズフリーモードの動作中に、内蔵トランシーバおよびアンテナを用いて、および／またはハンズフリーまたは携帯モードの動作中に、該コンパニオンデバイスの電力増幅器および／またはアンテナを用いて、比較的高電力のおよび／または高ＥＩＲＰの送信で通信できるように、高電力および／または高ＥＩＲＰ送信モードに入ることができる。許可されたおよび／または所定時間中に、ハンズフリーモードの動作またはコンパニオンデバイスが利用可能になっていない場合には、高電力および／または高ＥＩＲＰ送信に対する要求を拒否してもよい。いくつかの実施形態においては、該許可されたおよび／または所定期間は、該無線端末に事前にプログラムしておいてもよく、該システムによって決定し、該無線端末に送信してもよく、および／または該無線端末の電力および／またはＥＩＲＰレベルによって決めてもよい。
【００６６】
別法として、ブロック７５３および／またはブロック７５５におけるテストは、一度だけ実行してもよく、また、高電力および／または高ＥＩＲＰ送信に対する要求は、ハンズフリー動作および／またはコンパニオンデバイスがすぐに使用可能でない場合には、単に拒否してもよい。また別の実施形態においては、ブロック７５７のユーザ通知は実行しなくてもよく、高電力および／または高ＥＩＲＰ送信に対する要求は拒否してもよい。さらに別の実施形態においては、高電力および／または高ＥＩＲＰ送信は、ハンズフリー動作またはコンパニオンデバイスのいずれも使用可能でない場合でも、高電力および／または高ＥＩＲＰ送信に対する要求の後に、ある期間、該無線端末トランシーバ５２１によって実行してもよい。該ある期間中、該ユーザには、ハンズフリー動作および／またはコンパニオンデバイスとの結合を提供するために、該無線端末によって少なくとも一度、知らせてもよい。ハンズフリー動作および／またはコンパニオンデバイスが、該ある期間内に提供された場合には、高電力および／または高ＥＩＲＰ送信を中断せずに続行してもよい。ハンズフリー動作および／またはコンパニオンデバイスが、該ある期間内に提供されない場合には、高電力および／または高ＥＩＲＰ送信を中断および／または終了してもよい。
【００６７】
図７のフローチャートは、ブロック７５３においてハンズフリー動作を検知するテストが、ブロック７５５においてコンパニオンデバイスを検知するテストに先行することを示しているが、これらのテストの順番は逆にしてもよく、および／または該テストは、実質的に同時に実行してもよい。例えば、これら両テストは、連続してまたは実質的に同時に実行してもよく、また、前記無線端末が、ハンズフリーモードの動作で作動しており、かつコンパニオンデバイスが使用可能である場合には、該無線端末は、ブロック７５９において、該コンパニオンデバイスの内蔵トランシーバおよびアンテナおよび／または電力増幅器およびアンテナを用いて、高電力および／または高ＥＩＲＰ送信モードに入ることができる。例えば、該無線端末は、高電力および／または高ＥＩＲＰが利用可能であるため、該コンパニオンデバイスの該電力増幅器およびアンテナを使用するように優先的に選択してもよい。ブロック７５９において、該無線端末がハンズフリーモードで作動している状態の内蔵トランシーバおよびアンテナを用いて、最初に高電力および／または高ＥＩＲＰ送信モードに入った場合、該無線端末は、後に該コンパニオンデバイスが（有線または無線で）該無線端末に結合されたときに、該コンパニオンデバイスの電力増幅器およびアンテナを用いて、高電力および／または高ＥＩＲＰ送信モードに後に切り替えてもよく、または、該無線端末は、該無線端末の内蔵トランシーバ５２１およびアンテナ５２４、および該コンパニオンデバイスのトランシーバ６１２およびアンテナ６１４を使用し続けてもよい。
【００６８】
また、ブロック７５３において、ハンズフリー動作が利用可能でない場合、および／またはブロック７５５において、コンパニオンデバイスの送信器動作が利用可能でない場合には、別の通知動作を実行してもよい。例えば、ユーザ通知は、ブロック７５５において、コンパニオンデバイスの送信器動作が利用可能か否かを判断する前に、ブロック７５３において、ハンズフリー動作が利用可能でない場合に生成してもよく、また、コンパニオンデバイスの送信器動作が利用可能でない場合、ブロック７５７において、第２のユーザ通知を生成してもよい。別のユーザ通知動作は、ブロック７５５およびブロック７５７の動作の順番が逆であるおよび／または同時に実行される場合に、同様に生成してもよい。
【００６９】
他の実施形態においては、無線端末のハンズフリー動作および／またはコンパニオンデバイスの動作は必ずしも必要ではなく、また、閾値以上の電力および／またはＥＩＲＰレベルで通信しているときに、該無線端末が、スピーカフォンモード（すなわち、ウォーキートーキーモード、プッシュ・トゥ・トークモードおよび／または該ユーザが、耳の近くで該無線端末を作動させることができないまたは作動させる必要がない他の何らかのモード）で作動するように構成されている場合には、図６および／または図７のフローチャートは用いなくてもよい。
【００７０】
別の実施形態においては、無線端末のハンズフリー動作および／またはコンパニオンデバイスの動作は必ずしも必要ではなく、また、図６および／または図７のフローチャートは、ユーザが耳の近くで該無線端末を用いて通信しているときに、前記アンテナの放射素子（または複数の放射素子）と該ユーザの頭部との間に最小限の距離を保つ、（該無線端末のユーザによって、選択的に適切に配置され／向けられるように、永続的に適切に配置され／向けられ、または構成されている）適切に配置／向けられたアンテナを用いて該無線端末が構成されている場合には用いなくてもよい。ユーザによって適切に選択的に配置／向けることができるアンテナを用いて構成されている無線端末が、該無線端末の該アンテナが、該無線端末の通信モードに必要な適切な位置／方向状態に実質的に適切に配置／向けられていない場合に、適切に選択的に配置され／向けられたアンテナ状態を要する該無線端末の通信モードを該ユーザに通知するために、図６および／または図７に示されているのと同様のフローチャート手法／手順を用いることにより、該ユーザに通知を提供することができることは、理解されよう。代替例において、または、該無線端末の該アンテナが、該無線端末の通信モードに必要とされる適切な位置／方向状態に実質的に適切に配置されていない／向けられていない場合に、適切に選択的に配置され／向けられたアンテナ状態に必要とされる該無線端末の通信モードの通知を該無線端末のユーザに与えることに加えて、該無線端末の携帯型インタフェースをスピーカフォンモードおよび／またはプッシュ・トゥ・トークモードで構成し、それによって、該無線端末の該アンテナのアンテナ放射素子と該ユーザの頭部との間の距離を拡げるために、通知を該ユーザに与えてもよい。
【００７１】
いくつかの実施形態においては、前記無線端末は、そのうちの１つを、音声通信を実行できるように選択して使用することができる複数のボコーダ送信レートおよび／またはそのうちの１つを、データ通信を実行できるように選択して使用することができる複数のデータ送信レートを備えていてもよく、また、該無線端末は、該無線端末が、宇宙ベースの通信および／または地上通信を実行して、それにより、該宇宙ベースのおよび／または地上の通信を実行するために用いる電力および／またはＥＩＲＰレベルを低減する場合に、該無線端末に含まれている他のボコーダおよび／またはデータ送信レートと比較して低い（または、最低である）ボコーダ送信レートおよび／またはデータ送信レートを優先的に選択して使用するように構成することができる。該無線端末が、ＡＴＣおよび／または宇宙ベースのコンポーネントから受信するボコーダおよび／またはデータ送信レートは、該無線端末が、該ＡＴＣおよび／または該宇宙ベースのコンポーネントへ送信するボコーダおよび／またはデータ送信レートよりも高くすることができる。
【００７２】
いくつかの実施形態において、前記無線端末の前記トランシーバは、該無線端末が地上通信を実行しているときに、第１の最大出力電力レベルを生成し、かつ該無線端末が宇宙ベースの通信を実行しているときに、第２の最大出力電力レベルを生成する電力増幅器（Ｐｏｗｅｒ  Ａｍｐｌｉｆｉｅｒ；ＰＡ）を備える。いくつかの実施形態においては、該第２の最大出力電力レベルは、該第１の最大出力電力レベルよりも大きい。他の実施形態においては、該無線端末の該トランシーバは、該無線端末が地上および／または宇宙ベースの通信を実行するのに用いる複数の最大出力電力レベルおよび／または周波数帯域のそれぞれに対応する複数の電力増幅器を用いて構成することができる。
【００７３】
前記無線端末の前記トランシーバは、地上および宇宙ベースの通信を受信するために該無線端末によって用いられる１つの低雑音増幅器（Ｌｏｗ  Ｎｏｉｓｅ  Ａｍｐｌｉｆｉｅｒ；ＬＮＡ）を用いて構成してもよく、または、該無線端末の該トランシーバは、第１および第２のＬＮＡを備えてもよく、この場合、該第１のＬＮＡは、地上通信を受信するために該無線端末によって用いられ、該第２のＬＮＡは、宇宙ベースの通信を受信するために該無線端末によって用いられる。いくつかの実施形態においては、該無線端末の該トランシーバの雑音指数（Ｎｏｉｓｅ  Ｆｉｇｕｒｅ；ＮＦ）は、該無線端末の該トランシーバが宇宙ベースの通信を実行しているときには、該無線端末が地上通信を実行しているときの該無線端末の該トランシーバのＮＦと比較して、低い値（ｄＢ）にある。
【００７４】
別の実施形態においては、前記無線端末の１つ以上のアンテナ素子は、実質的に円偏光した（ＣＰ）および／または直線偏光した（ＬＰ）電磁エネルギを用いて、ＡＴＣおよび／または宇宙ベースのコンポーネントへ通信を送るように構成されており、また、該ＡＴＣおよび／または該宇宙ベースのコンポーネントは、実質的にＣＰおよび／またはＬＰの電磁エネルギを用いて、該無線端末に通信を送るように構成されており、また、１つ以上の無線端末アンテナ素子は、該ＡＴＣおよび／または該宇宙ベースのコンポーネントから送信されて、該無線端末で受信される該ＣＰおよび／またはＬＰの電磁エネルギを受信して処理するように構成されている。
【００７５】
図面および本明細書において、本発明の実施形態が開示されており、特定の用語が用いられているが、それらは、単に一般的かつ説明的な意味で使用しており、かつ限定のためではなく、本発明の範囲は、特許請求の範囲に記載されている。
【図面の簡単な説明】
【００７６】
【図１】本発明の実施形態による通信システムを示す図である。
【図２】本発明の実施形態による無線端末を示すブロック図である。
【図３】本発明の実施形態による無線端末の動作を示すフローチャートである。
【図４】本発明の実施形態による通信システムを示すブロック図である。
【図５ａ】本発明の追加的な実施形態による無線端末を示すブロック図である。
【図５ｂ】本発明の追加的な実施形態によるコンパニオンデバイスを示すブロック図である。
【図６】本発明のさらに追加的な実施形態による無線端末の動作を示すフローチャートである。
【図７】本発明のさらに追加的な実施形態による無線端末の動作を示すフローチャートである。
【図１】
2007533208.tif 000003
【図２】
2007533208.tif 000004
【図３】
2007533208.tif 000005
【図４】
2007533208.tif 000006
【図５ａ】
2007533208.tif 000007
【図５ｂ】
2007533208.tif 000008
【図６】
2007533208.tif 000009
【図７】
2007533208.tif 000010
【国際調査報告】
2007533208.tif 000011
2007533208.tif 000012
2007533208.tif 000013